(57)【要約】本開示は、シロキサンポリマー、このポリマーを含む組成物、並びにそれを使用してある部位をトリートメント及び／又は洗浄する方法に関する。【特許請求の範囲】
【請求項１】
式（Ｉ）の構造を有する１つ以上の繰り返し単位を含むシロキサンポリマーであって、
【化１】
2020528091.tif 000028
式中、
ａ）各Ｌは、連結二価アルキレンラジカルであり、好ましくは、各Ｌは、独立して、
【化２】
2020528091.tif 000029
−（ＣＨ２）ｓ−、−（Ｈ２Ｃ）ｓＯＣ６Ｈ４、及びこれらの組み合わせからなる群から選択され、より好ましくは、少なくとも１つのＬが、−（ＣＨ２）ｓ−であり、
式中、
各Ｒ２は、独立して、Ｈ、Ｃ１〜Ｃ４アルキル、置換アルキル、アリール、置換アリール、及びこれらの組み合わせ、好ましくは、Ｈ又はＣ１〜Ｃ４アルキル、最も好ましくは、Ｈ又はメチルからなる群から選択され、
各ｓは、独立して、１〜約２０の整数であり、好ましくは、各ｓは、独立して、２〜約１２の整数であり、
各ｙは、独立して、１〜約１００の整数であり、好ましくは、各ｙは、独立して、１〜約２０の整数であり、より好ましくは、ｙは、独立して、１〜約１０の整数であり、
ｂ）各Ｘ１及びＸ２は、独立して、以下からなる群から選択され、
【化３】
2020528091.tif 000030
Ｒ４部分のそれぞれは、独立して、Ｈ、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、Ｃ６〜Ｃ３２置換アルキルアリールからなる群から選択され、
好ましくは、各Ｘ１及びＸ２は、独立して、以下からなる群から選択され、
【化４】
2020528091.tif 000031
より好ましくは、各Ｘ１及びＸ２は、独立して、以下からなる群から選択され、
【化５】
2020528091.tif 000032
ｃ）各Ｒ１は、独立して、Ｈ、ＯＨ、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、Ｃ６〜Ｃ３２置換アルキルアリール、Ｃ１〜Ｃ３２アルコキシ、及びＣ１〜Ｃ３２置換アルコキシからなる群から選択され、好ましくは、各Ｒ１は、独立して、Ｈ、ＯＨ、Ｃ１〜Ｃ１６アルキル、Ｃ１〜Ｃ４アルコキシ、ベンジル部分、及びフェニルプロピル部分からなる群から選択され、より好ましくは、各Ｒ１は、独立して、Ｈ、ＯＨ、Ｃ１アルキル、Ｃ１アルコキシからなる群から選択され、
ｄ）各Ｒ３は、独立して、Ｃ１〜Ｃ３２アルキレン、Ｃ１〜Ｃ３２置換アルキレン、Ｃ６〜Ｃ３２アリール、Ｃ５〜Ｃ３２置換アリール、Ｃ６〜Ｃ３２アルキレンアリール、及びＣ５〜Ｃ３２置換アルキレンアリールからなる群から選択され、Ｒ３部分が、２個以上の炭素原子を含む場合、前記Ｒ３部分は、Ｎ、Ｏ、及びＳ、並びにこれらの組み合わせからなる群から選択されるヘテロ原子によって任意に分断され得、
ｅ）各指数ｍは、１又はゼロであり、但し、Ｘ１及び／又はＸ２が酸素である場合、前記Ｘ１及び／又はＸ２に直接隣接する前記Ｌ部分の前記指数ｍは、０であり、
ｆ）各ｑは、１又はゼロであり、
ｇ）各指数ｐは、約２〜約１０００の整数であり、好ましくは、ｐは、約１０〜約５００の整数であり、より好ましくは、ｐは、約２０〜約２００の整数であり、
ｈ）指数ｎは、約１〜約５０の整数であり、好ましくは、指数ｎは、約２〜約２０の整数である、シロキサンポリマー。
【請求項２】
各Ｘ１及びＸ２が、独立して、以下からなる群から選択される、請求項１に記載のシロキサンポリマー。
【化６】
2020528091.tif 000033
【請求項３】
組成物の総重量に基づいて、約０．３％〜８％の、請求項１又は２に記載のシロキサンポリマーを含む、組成物。
【請求項４】
前記組成物が、組成物の総重量に基づいて、約０．５％〜約５％の前記シロキサンポリマーと、アニオン性界面活性剤、非イオン性界面活性剤、カチオン性界面活性剤、両性界面活性剤、及びこれらの混合物からなる群から選択される界面活性剤と、を含む、請求項３に記載の組成物。
【請求項５】
前記界面活性剤が、直鎖状又は分岐鎖状アルキルベンゼンスルホン酸塩、アルキル硫酸塩、アルキルエトキシ硫酸塩、アルキルエトキシレート、アルキルグリセリルスルホン酸塩、エステル第四級アンモニウム化合物、及びこれらの混合物から選択される、請求項４に記載の組成物。
【請求項６】
前記組成物が、付着助剤を含み、前記付着助剤が、約０．２ｍｅｑ／ｇ〜約２０ｍｅｑ／ｇの正味カチオン電荷密度を有するカチオン性ポリマーを含む、請求項３〜５のいずれか一項に記載の組成物。
【請求項７】
前記組成物が、約２〜約４のｐＨを有し、前記組成物が、組成物の総重量に基づいて、４％〜約２０％のエステル第四級アンモニウム化合物を含む、請求項３〜６のいずれか一項に記載の組成物。
【請求項８】
前記組成物が、布地洗浄組成物又は布地ケア組成物である、請求項３〜６のいずれか一項に記載の組成物。
【請求項９】
前記組成物が、固体形態である、請求項３〜７のいずれか一項に記載の組成物。
【請求項１０】
前記組成物が、粉末形態の洗濯組成物である、請求項９に記載の組成物。
【請求項１１】
前記組成物の８重量％〜１５％重量％の、好ましくは、アルキルベンゼンスルホン酸塩、アルキルエトキシル化硫酸塩、及びこれらの混合物からなる群から選択される、アニオン性界面活性剤と、前記組成物の０．１重量％〜４重量％の非イオン性界面活性剤、好ましくは、アルキルエトキシル化アルコールと、を含む、請求項１０に記載の組成物。
【請求項１２】
前記組成物が、固体送達剤の形態である、請求項３〜９のいずれか一項に記載の組成物。
【請求項１３】
５，０００〜１１，０００の分子量を有する、前記組成物の６０重量％〜９８重量％のポリエチレングリコールと、前記組成物の２重量％〜１２重量％の遊離香料と、好ましくは、前記組成物の２重量％〜１２重量％の、封入香料を含む香料マイクロカプセルと、を含む、請求項１２に記載の組成物。
【請求項１４】
水溶性無機アルカリ金属塩、水溶性アルカリ土類金属塩、水溶性有機アルカリ金属塩、水溶性有機アルカリ土類金属塩、水溶性炭水化物、水溶性ケイ酸塩、水溶性尿素、及びこれらの任意の組み合わせからなる群から選択される水溶性担体を含む、請求項１３に記載の組成物。
【請求項１５】
部位をトリートメント及び／又は洗浄する方法であって、
ａ）任意に、前記部位を洗う及び／又はすすぐことと、
ｂ）前記部位を、請求項１若しくは２に記載のシロキサン、及び／又は請求項３〜１４のいずれか一項に記載の組成物と接触させることと、
ｃ）任意に、前記部位を洗う及び／又はすすぐことと、を含む、方法。
【発明の詳細な説明】
【技術分野】
【０００１】
本開示は、官能化シロキサンポリマー、官能化シロキサンポリマーを含む組成物及び系、並びにその製造方法及び使用方法に関する。シロキサンポリマーは、良好な環境プロファイルを呈する。
【背景技術】
【０００２】
官能化シリコーンポリマーは、布地柔軟性、ヘアコンディショニング、布地しわ防止制御、形状維持、染み制御、及び色ケアを含む、多数の効果を提供する。現在、持続可能な材料が非常に望まれているが、これは、典型的に、それらの作製に必要とされるエネルギーがより少なく、必要とされる原材料の濃度がより低く、かつ／又は廃棄がより容易であるためである。
【発明の概要】
【発明が解決しようとする課題】
【０００３】
本発明の目的は、布地柔軟性、ヘアコンディショニング、布地しわ防止制御、形状維持、染み制御、及び／又は色ケアを提供し、かつ良好な環境プロファイルを有する、シロキサンポリマーを開発することである。
【課題を解決するための手段】
【０００４】
本開示は、官能化シロキサンポリマー、官能化シロキサンポリマーを含む組成物及び系、並びにその製造方法及び使用方法に関する。かかる官能化シロキサンポリマーは持続可能でありながら、かかる官能化シロキサンポリマーの主な性能効果、例えば、ある部位に外観及び／又は感触効果を付与する能力が維持されるか、又は更に改善される。かかる官能化シロキサンポリマーの使用方法は、ある部位（布地など）を、かかる官能化シロキサンポリマーと接触させることを含む。このシロキサンポリマーは、従来のシロキサンポリマーと比較して、改善された生分解性を呈する。
【発明を実施するための形態】
【０００５】
定義
本明細書で使用するとき、「消費者製品」は、それが販売されている形態での使用又は消費が意図され、後続する商業的製造又は修正が意図されない、ベビーケア、ビューティケア、布地及びホームケア、ファミリーケア、女性用ケア、ヘルスケア製品又は装置を意味する。かかる製品としては、おむつ、胸当て、ワイプ；毛髪（ヒト、イヌ、及び／又はネコ）をトリートメントするための製品及び／又はそれに関連する方法（脱色、着色、染色、コンディショニング、シャンプー、スタイリング用を含む）；脱臭剤及び制汗剤；パーソナルクレンジング；化粧品；消費者使用のためのクリーム、ローション、及び局所的に適用される他の製品の適用を含むスキンケア；並びにシェービング製品、布地、硬質表面、並びに布地及びホームケア分野の任意の他の表面をトリートメントするための製品及び／又はそれに関連する方法（空気ケア、自動車ケア、食器洗浄、布地コンディショニング（柔軟化を含む）、洗濯洗剤、洗濯及びすすぎ用添加剤及び／又はケア、硬質表面洗浄及び／又はトリートメント、並びに消費者又は事業者使用のための他の洗浄を含む）；トイレットペーパー、ティッシュ、紙製ハンカチ、及び／又はペーパータオルに関連する製品及び／又は方法；タンポン、女性用ナプキン；口腔ケアに関連する製品及び／又は方法（練り歯磨き、歯磨きジェル、歯すすぎ剤、入れ歯接着剤、歯ホワイトニング剤を含む）。
【０００６】
本明細書で使用するとき、「洗浄及び／又はトリートメント組成物」という用語は、別途記載のない限り、顆粒若しくは粉末形態の、汎用又は「強力」洗浄剤、特に洗浄洗剤；固体、顆粒、若しくは粉末、又はビーズ形態の、布地フレッシュニング組成物又は布地ケア組成物；液体、ゲル、又はペースト形態の汎用洗浄剤、特にいわゆる強力液体タイプのもの；繊細な布地用の液体洗剤；食器手洗い用洗剤又は軽作業用食器用洗剤、特に高発泡タイプのもの；食器洗浄機用洗剤（家庭用及び業務用の、様々なタブレット、顆粒、液体、及びすすぎ補助タイプのものを含む）；液体洗浄剤及び消毒剤（抗菌性手洗いタイプ、洗浄バー、口腔洗浄剤、入れ歯洗浄剤、歯磨剤、自動車又はカーペット用シャンプー、浴室用洗浄剤を含む）；毛髪用シャンプー及び毛髪用リンス；シャワージェル及びフォームバス、並びに金属洗浄剤；布地ケア組成物；加えて、漂白添加剤、及び「染み固着」タイプ又は前トリートメントタイプなどの洗浄補助剤、乾燥機用シート（dryer added sheet）、乾燥及び湿潤ワイプ及びパッド、不織布基材、並びにスポンジなどの基材添加製品（substrate-laden product）；加えて、スプレー及びミストが挙げられるが、これらに限定されない。
【０００７】
本明細書で使用するとき、「布地ケア組成物」という用語は、別途記載のない限り、布地柔軟化組成物、布地改良組成物、布地フレッシュニング組成物、及びこれらの組み合わせを含む。本組成物は、任意の物理的形態、液体、固体など、又は乾燥機若しくは洗濯機用シート、乾燥ワイプ及び湿潤ワイプなどのシートの一部としてであり得る。
【０００８】
本明細書で使用するとき、「１つの（a）」及び「１つの（an）」などの冠詞は、特許請求の範囲で使用される場合、特許請求又は記載されるもののうちの１つ以上を意味するものと理解される。
【０００９】
本明細書で使用するとき、「含む（include）」、「含む（includes）」、及び「含んでいる（including）」という用語は、「含むが、これらに限定されない」という語句と同義であることを意味する。
【００１０】
本明細書で使用するとき、「固体」という用語は、顆粒、粉末、バー、ビーズ、及びタブレットの製品形態を含む。
【００１１】
本明細書で使用するとき、「部位」という用語は、紙製品、布地、衣類、硬質表面、毛髪、及び皮膚を含む。
【００１２】
別途記載のない限り、全ての構成成分又は組成物濃度は、その構成成分又は組成物の活性部分に関するものであり、かかる構成成分又は組成物の市販の供給源に存在し得る不純物、例えば、残留溶媒又は副生成物は、除外される。
【００１３】
全ての百分率及び比率は、別途記載のない限り、重量基準で計算される。全ての百分率及び比率は、別途記載のない限り、全組成に基づいて計算される。
【００１４】
本明細書全体を通して記載される全ての最大数値限定は、それよりも小さい全ての数値限定を、かかるより小さい数値限定があたかも本明細書に明確に記載されているかのように含むものと理解すべきである。本明細書全体を通して記載される全ての最小数値限定は、それよりも大きい全ての数値限定を、かかるより大きい数値限定があたかも本明細書に明確に記載されているかのように含むだろう。本明細書全体を通して記載される全ての数値範囲は、かかるより広い数値範囲内に含まれるより狭い全ての数値範囲を、かかるより狭い数値範囲があたかも全て本明細書に明確に記載されているかのように含むだろう。
【００１５】
官能化シリコーン及びそれを含む組成物
Ａ）式（Ｉ）の構造を有する１つ以上の繰り返し単位を含むシロキサンポリマーであって、
【００１６】
【化１】
2020528091.tif 000002
式中、
ａ）各Ｌは、連結二価アルキレンラジカルであり、好ましくは、各Ｌは独立して、
【００１７】
【化２】
2020528091.tif 000003
−（ＣＨ２）ｓ−、−（Ｈ２Ｃ）ｓＯＣ６Ｈ４、及びこれらの組み合わせからなる群から選択され、より好ましくは、少なくとも１つのＬは、−（ＣＨ２）ｓ−であり、
式中、
各Ｒ２は独立して、Ｈ、Ｃ１〜Ｃ４アルキル、置換アルキル、アリール、置換アリール、及びこれらの組み合わせ、好ましくは、Ｈ又はＣ１〜Ｃ４アルキル、最も好ましくは、Ｈ又はメチルからなる群から選択される。好ましくは、Ｒ２は、メチルである。
各ｓは独立して、１〜約２０の整数であり、好ましくは、各ｓは独立して、２〜約１２の整数であり、好ましくは、ｓは、３であり、
各ｙは独立して、１〜約１００の整数であり、好ましくは、各ｙは独立して、１〜約２０の整数であり、より好ましくは、ｙは独立して、１〜約１０の整数であり、好ましくは、ｙは、１であり、
ｂ）各Ｘ１及びＸ２は独立して、
【００１８】
【化３】
2020528091.tif 000004
からなる群から選択され、
Ｒ４部分のそれぞれは独立して、Ｈ、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、Ｃ６〜Ｃ３２置換アルキルアリールからなる群から選択され、
好ましくは、各Ｘ１及びＸ２は独立して、
【００１９】
【化４】
2020528091.tif 000005
からなる群から選択され、
より好ましくは、各Ｘ１及びＸ２は独立して、
【００２０】
【化５】
2020528091.tif 000006
からなる群から選択され、
より好ましくは、各Ｘ１及びＸ２は独立して、
【００２１】
【化６】
2020528091.tif 000007
からなる群から選択され、
最も好ましくは、各Ｘ１及びＸ２は独立して、
【００２２】
【化７】
2020528091.tif 000008
からなる群から選択され（＊は、シロキサンに対する結合部位を示す）、
ｃ）各Ｒ１は独立して、Ｈ、ＯＨ、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、Ｃ６〜Ｃ３２置換アルキルアリール、Ｃ１〜Ｃ３２アルコキシ、及びＣ１〜Ｃ３２置換アルコキシからなる群から選択され、好ましくは、各Ｒ１は独立して、Ｈ、ＯＨ、Ｃ１〜Ｃ１６アルキル、Ｃ１〜Ｃ４アルコキシ、ベンジル部分、及びフェニルプロピル部分からなる群から選択され、より好ましくは、各Ｒ１は独立して、Ｈ、ＯＨ、Ｃ１アルキル、Ｃ１アルコキシからなる群から選択され、好ましくは、Ｒ１は、メチル又はエチルである。
ｄ）各Ｒ３は独立して、Ｃ１〜Ｃ３２アルキレン、Ｃ１〜Ｃ３２置換アルキレン、Ｃ６〜Ｃ３２アリール、Ｃ５〜Ｃ３２置換アリール、Ｃ６〜Ｃ３２アルキレンアリール、及びＣ５〜Ｃ３２置換アルキレンアリールからなる群から選択され、Ｒ３部分が、２個以上の炭素原子を含む場合、Ｒ３部分は、Ｎ、Ｏ、及びＳ、並びにこれらの組み合わせからなる群から選択されるヘテロ原子によって任意に分断され得、Ｘ１及び／又はＸ２がシリルエーテル
【００２３】
【化８】
2020528091.tif 000009
である場合、Ｒ１は、以下からなる群から選択される。
【００２４】
【化９】
2020528091.tif 000010
Ｘ１及び／又はＸ２がイミン
【００２５】
【化１０】
2020528091.tif 000011
又はマイケル付加物
【００２６】
【化１１】
2020528091.tif 000012
である場合、Ｒ１は、
【００２７】
【化１２】
2020528091.tif 000013
からなる群から選択される。
ｅ）
ｆ）各指数ｍは、１又はゼロであり、但し、Ｘ１及び／又はＸ２が酸素である場合、Ｘ１及び／又はＸ２に直接隣接するＬ部分の指数ｍは、０であり、
ｇ）各ｑは、１又はゼロであり、
ｈ）各指数ｐは、約２〜約１０００の整数であり、好ましくは、ｐは、約１０〜約５００の整数であり、より好ましくは、ｐは、約２０〜約２００の整数であり、
ｉ）指数ｎは、約１〜約５０の整数であり、好ましくは、指数ｎは、約２〜約２０の整数である、シロキサンポリマー
が開示される。
【００２８】
本発明のシロキサンポリマーは、環境への曝露時にポリマーの分解を促進する切断可能な結合を有する部分を含む。理論によって束縛されるものではないが、ポリマーの疎水性は変化し、ポリマーは環境において容易に利用可能なエステラーゼ酵素によって分解しやすくなると考えられる。
【００２９】
Ｂ）節Ａ）に記載のシロキサンポリマーを含む組成物が開示される。好ましくは、組成物は、組成物の総重量に基づいて、約０．２％〜約１０％の請求項１に記載のシロキサンポリマーを含み、好ましくは、組成物は、組成物の総重量に基づいて、約０．３％〜約８％の請求項１に記載のシロキサンポリマーを含み、より好ましくは、組成物は、組成物の総重量に基づいて、約０．５％〜約５％の請求項１に記載のシロキサンポリマーと、界面活性剤とを含み、好ましくは、界面活性剤は、アニオン性界面活性剤、非イオン性界面活性剤、カチオン性界面活性剤、両性界面活性剤、及びこれらの混合物からなる群から選択され、より好ましくは、界面活性剤は、直鎖状又は分岐鎖状アルキルベンゼンスルホン酸塩、アルキル硫酸塩、アルキルエトキシ硫酸塩、アルキルエトキシレート、アルキルグリセリルスルホン酸塩、第四級アンモニウム界面活性剤からなる群から選択され、好ましくは、第四級アンモニウム界面活性剤は、エステル第四級アンモニウム化合物及びこれらの混合物である。
【００３０】
好ましくは、本組成物は、組成物の総重量に基づいて、約０．３％〜約８％のシロキサンポリマーと、アニオン性界面活性剤、非イオン性界面活性剤、カチオン性界面活性剤、両性界面活性剤、及びこれらの混合物からなる群から選択される界面活性剤とを含む。好ましくは、本組成物は、組成物の総重量に基づいて、約０．３％〜約８％のシロキサンポリマーと、直鎖状又は分岐鎖状アルキルベンゼンスルホン酸塩、アルキル硫酸塩、アルキルエトキシ硫酸塩、アルキルエトキシレート、アルキルグリセリルスルホン酸塩、第四級アンモニウム界面活性剤からなる群から選択される界面活性剤とを含み、好ましくは、第四級アンモニウム界面活性剤は、エステル第四級アンモニウム化合物及びこれらの混合物である。
【００３１】
Ｃ）節Ｂ）に記載の組成物が開示され、組成物は、界面活性剤、色ケアポリマー、付着助剤、界面活性剤増強ポリマー、ｐＨ調整剤、製品色安定剤、防腐剤、溶媒、ビルダー、キレート剤、移染防止剤、分散剤、酵素及び酵素安定剤、触媒材料、漂白剤、漂白活性化剤、ポリマー分散剤、泥汚れ除去／再付着防止剤、増白剤、抑泡剤、染料、紫外線吸収剤、香料、追加の香料送達系、構造弾性化剤、増粘剤／構造化剤、布地柔軟剤、担体、ヒドロトロープ、オリゴアミン、加工助剤、色調剤、顔料、並びにこれらの混合物からなる群から選択される成分からなる群から選択される補助成分を含む。
【００３２】
Ｄ）節Ｂ）又はＣ）に記載の組成物が開示され、組成物は、付着助剤を含み、好ましくは、付着助剤は、カチオン性ポリマーを含み、好ましくは、カチオン性ポリマーは、約０．２ｍｅｑ／ｇ〜約２０ｍｅｑ／ｇの正味カチオン電荷密度を有するカチオン性ポリマーである。
【００３３】
Ｅ）節Ｂ）〜Ｄ）に記載の組成物が開示され、組成物は、約２〜約４のｐＨ、好ましくは、約２〜約３．７のｐＨ、より好ましくは、約２〜約３．５のｐＨを有し、好ましくは、組成物は、エステル第四級アンモニウム化合物を含み、より好ましくは、組成物は、組成物の総重量に基づいて、約３％〜約２５％、好ましくは、約４％〜約２０％、より好ましくは、約５％〜約１５％、最も好ましくは、約７％〜約１２％のエステル第四級アンモニウム化合物を含む。本組成物のｐＨが上述のとおりである場合、前述のエステル第四級アンモニウム化合物などの化合物は、安定しており、ｐＨ範囲が好ましい範囲内に集束するにつれて、ますます安定するようになる。
【００３４】
好ましくは、本組成物は、２〜約３．５のｐＨを有し、組成物は、組成物の総重量に基づいて、約３％〜約２５％のエステル第四級アンモニウム化合物を含む。
【００３５】
本発明の組成物は、液体形態又は固体形態であり得る。好ましくは、本組成物が液体形態である場合、（２０℃で測定して）未希釈の組成物のｐＨは、約２〜約４である。このｐＨ範囲は、シロキサンポリマーの安定性の改善を提供する。本発明の組成物は、固体形態（洗濯粉末の形態、若しくはビーズなどの固体送達剤の形態など）、又はシートであり得る。
【００３６】
使用方法及びトリートメントされる部位
本明細書に開示されるシロキサンポリマーを含有する組成物は、ある部位、とりわけ表面又は布地の洗浄又はトリートメントに使用することができる。典型的には、この部位の少なくとも一部を、未希釈の形態又は液体（例えば、洗浄液）中に希釈された形態の本発明の組成物と接触させ、次に、その部位を任意に洗う及び／又はすすいでもよい。一態様では、ある部位を、任意に洗う及び／又はすすぎ、本発明による粒子又はこの粒子を含む組成物と接触させ、次に、任意に洗う及び／又はすすぐ。本発明の目的に関して、洗浄は、こすり洗い及び機械的撹拌を含むが、これらに限定されない。布地は、標準的な消費者の使用条件で洗濯又はトリートメントすることが可能な、ほとんどどの布地を含んでもよい。開示される組成物を含み得る液体は、約３〜約１１．５、又は更には約５．０〜約１０のｐＨを有し得る。かかる組成物は、典型的には、溶液中約５００ｐｐｍ〜約１５，０００ｐｐｍの濃度で用いられる。洗浄溶媒が水である場合、水温は、典型的には、約５℃〜約９０℃の範囲であり、部位が布地を含む場合、水と布地との比は、典型的には、約１：１〜約３０：１である。
【００３７】
ある部位（好ましくは、布地）をトリートメント及び／又は洗浄する方法であって、
ａ．）任意に、その部位を洗う及び／又はすすぐことと、
ｂ．）その部位を、節Ａに記載のシロキサン及び／又は節Ｂ〜Ｅに記載の組成物と接触させることと、
ｃ．）任意に、その部位を洗う及び／又はすすぐこととを含む、方法
が開示される。
【００３８】
節Ａに記載のシロキサン及び／又は節Ｂ〜Ｅに記載の組成物でトリートメントした部位が開示される。
【００３９】
消費者製品成分
本発明の各消費者製品の実施形態にとって必須ではないが、本明細書以下に例示される消費者製品成分の非限定的な一覧は、本出願人の組成物中での使用に好適であり、例えば、性能を補助若しくは改良するために、洗浄される基材のトリートメントのために、又は香料、着色剤、若しくは染料などの場合のように組成物の審美性を修正するために、望ましくは本発明の特定の実施形態に組み込まれてもよい。これらの消費者製品成分の正確な性質、及びそれらの組み込み濃度は、本組成物の物理的形態及びそれが使用される操作の性質に依存する。好適な消費者製品成分としては、界面活性剤、色ケアポリマー、付着助剤、界面活性剤増強ポリマー、ｐＨ調整剤、製品色安定剤、防腐剤、溶媒、ビルダー、キレート剤、移染防止剤、分散剤、酵素及び酵素安定剤、触媒材料、漂白剤、漂白活性化剤、ポリマー分散剤、泥汚れ除去／再付着防止剤、増白剤、抑泡剤、染料、紫外線吸収剤、香料及び香料送達系、構造弾性化剤、増粘剤／構造化剤、布地柔軟剤、担体、ヒドロトロープ、オリゴアミン、加工助剤、色調剤、及び／又は顔料が挙げられるが、これらに限定されない。
【００４０】
上述のように、消費者製品成分は、本発明の各消費者製品の実施形態にとって必須のものではない。したがって、本出願人らの組成物の特定の実施形態は、以下の補助材料、すなわち、界面活性剤、色ケアポリマー、付着助剤、界面活性剤増強ポリマー、ｐＨ調整剤、製品色安定剤、防腐剤、溶媒、ビルダー、キレート剤、移染防止剤、分散剤、酵素及び酵素安定剤、触媒材料、漂白剤、漂白活性化剤、ポリマー分散剤、泥汚れ除去／再付着防止剤、増白剤、抑泡剤、染料、紫外線吸収剤、香料及び香料送達系、構造弾性化剤、増粘剤／構造化剤、布地柔軟剤、担体、ヒドロトロープ、オリゴアミン、加工助剤、色調剤、及び／又は顔料のうちの１つ以上を含有しない。しかしながら、１つ以上の消費者製品成分が存在する場合、かかる１つ以上の消費者製品成分が、以下に詳述されているように存在してもよい。
【００４１】
第四級アンモニウムエステル柔軟化活性物質
本発明の組成物は、３．０％〜２５．０％の第四級アンモニウムエステル柔軟化活性物質（布地柔軟化活性物質（Fabric Softening Active）、「ＦＳＡ」）を含み得る。エステル第四級アンモニウム化合物という用語は、第四級アンモニウムエステル柔軟化活性物質と同義である。好ましくは、本発明の組成物は、液体布地柔軟剤組成物である。好ましい液体布地柔軟剤組成物では、第四級アンモニウムエステル柔軟化活性物質は、組成物の４．０重量％〜２０重量％、より好ましくは５．０重量％〜１５重量％、更により好ましくは７．０重量％〜１２重量％の濃度で存在する。第四級アンモニウムエステル柔軟化活性物質の濃度は、本組成物（希釈又は濃縮組成物）中の全柔軟化活性物質の所望の濃度、及び他の柔軟化活性物質の有無に依存し得る。
【００４２】
好ましくは、第四級アンモニウム布地柔軟化活性物質を形成する親脂肪酸のヨウ素価は、０〜１００、好ましくは、１０〜６０、より好ましくは、１５〜４５である。
【００４３】
好適な第四級アンモニウムエステル柔軟化活性物質としては、モノエステルクワット、ジエステルクワット、トリエステルクワット及びこれらの混合物からなる群から選択される材料が挙げられるが、これらに限定されない。好ましくは、モノエステルクワットの濃度は、全第四級アンモニウムエステル柔軟化活性物質の２．０重量％〜４０．０重量％であり、ジエステルクワットの濃度は、４０．０重量％〜９８．０重量％であり、トリエステルクワットの濃度は、０．０重量％〜２５．０重量％である。
【００４４】
第四級アンモニウムエステル柔軟化活性物質は、以下の式の化合物を含んでもよく、
｛Ｒ２（４−ｍ）−Ｎ＋−［Ｘ−Ｙ−Ｒ１］ｍ｝Ａ−
式中、
ｍは、１、２、又は３であり、但し、各ｍの値は、同一であり、
各Ｒ１は独立して、ヒドロカルビル基又は分岐鎖状ヒドロカルビル基であり、好ましくは、Ｒ１は、直鎖状であり、より好ましくは、Ｒ１は、部分不飽和直鎖状アルキル鎖であり、
各Ｒ２は独立して、Ｃ１〜Ｃ３アルキル基又はヒドロキシアルキル基であり、好ましくは、Ｒ２は、メチル、エチル、プロピル、ヒドロキシエチル、２−ヒドロキシプロピル、１−メチル−２−ヒドロキシエチル、ポリ（Ｃ２〜３アルコキシ）、ポリエトキシ、ベンジルから選択され、
各Ｘは独立して、（ＣＨ２）ｎ、ＣＨ２−ＣＨ（ＣＨ３）−又はＣＨ−（ＣＨ３）−ＣＨ２−であり、
各ｎは独立して、１、２、３又は４であり、好ましくは、各ｎは、２であり、
各Ｙは独立して、−Ｏ−（Ｏ）Ｃ−又は−Ｃ（Ｏ）−Ｏ−であり、
Ａ−は独立して、塩化物、硫酸メチル、及び硫酸エチルからなる群から選択され、好ましくは、Ａ−は、塩化物及びメチル硫酸からなる群から選択され、
但し、Ｙが−Ｏ−（Ｏ）Ｃ−であるときには、各Ｒ１における炭素の合計は、１３〜２１、好ましくは、１３〜１９である。
【００４５】
好適な第四級アンモニウムエステル柔軟化活性物質の例は、ＫＡＯ  ＣｈｅｍｉｃａｌｓからＴｅｔｒａｎｙｌ  ＡＴ−１及びＴｅｔｒａｎｙｌ  ＡＴ−７５９０という商品名で、ＥｖｏｎｉｋからＲｅｗｏｑｕａｔ  ＷＥ１６  ＤＰＧ、Ｒｅｗｏｑｕａｔ  ＷＥ１８、Ｒｅｗｏｑｕａｔ  ＷＥ２０、Ｒｅｗｏｑｕａｔ  ＷＥ２８、及びＲｅｗｏｑｕａｔ  ３８  ＤＰＧという商品名で、ＳｔｅｐａｎからＳｔｅｐａｎｔｅｘ  ＧＡ９０、Ｓｔｅｐａｎｔｅｘ  ＶＲ９０、Ｓｔｅｐａｎｔｅｘ  ＶＫ９０、Ｓｔｅｐａｎｔｅｘ  ＶＡ９０、Ｓｔｅｐａｎｔｅｘ  ＤＣ９０、Ｓｔｅｐａｎｔｅｘ  ＶＬ９０Ａという商品名で市販されている。
【００４６】
これらのタイプの薬剤及びそれらの一般的な製造方法は、米国特許第４，１３７，１８０号に開示されている。
【００４７】
追加の布地柔軟化活性物質
本発明の組成物は、０．０１％〜１０％、好ましくは、０．１％〜１０％、より好ましくは、０．１％〜５％の追加の布地柔軟化活性物質を含み得る。好適な布地柔軟化活性物質としては、非エステル第四級アンモニウム化合物、アミン、脂肪酸エステル、ショ糖エステル、シリコーン、分散性ポリオレフィン、多糖類、脂肪酸、軟化油、ポリマーラテックス、及びこれらの組み合わせからなる群から選択される材料が挙げられるが、これらに限定されない。
【００４８】
非エステル第四級アンモニウム化合物：
好適な非エステル第四級アンモニウム化合物は、以下の式の化合物を含み、
［Ｒ（４−ｍ）−Ｎ＋−Ｒ１ｍ］Ｘ−
式中、各Ｒは、水素、短鎖Ｃ１〜Ｃ６、一態様では、Ｃ１〜Ｃ３アルキル又はヒドロキシアルキル基、例えば、メチル、エチル、プロピル、ヒドロキシエチル、ポリ（Ｃ２〜３アルコキシ）、ポリエトキシ、ベンジル、又はこれらの混合物のいずれかを含み、各ｍは、１、２、又は３であり、但し、各ｍの値は、同じであり、各Ｒ１における炭素の合計は、Ｃ１２〜Ｃ２２であり得、各Ｒ１は、ヒドロカルビル基又は置換ヒドロカルビル基であり、Ｘ−は、任意の柔軟剤相溶性のアニオンを含み得る。柔軟剤相溶性のアニオンは、塩化物、臭化物、硫酸メチル、硫酸エチル、硫酸塩、及び硝酸塩を含み得る。柔軟剤相溶性のアニオンは、塩化物又は硫酸メチルを含み得る。
【００４９】
非限定的な例としては、ジカノーラジメチル塩化アンモニウム、ジ（ハード）タロージメチル塩化アンモニウム、ジカノーラジメチルアンモニウム硫酸メチル、及びこれらの混合物などのジアルキレンジメチルアンモニウム塩が挙げられる。本発明で使用可能な市販のジアルキレンジメチルアンモニウム塩の例は、Ｗｉｔｃｏ  Ｃｏｒｐｏｒａｔｉｏｎから商品名Ａｄｏｇｅｎ（登録商標）４７２として入手可能なジオレイルジメチル塩化アンモニウム、及びＡｋｚｏ  ＮｏｂｅｌからＡｒｑｕａｄ  ２ＨＴ７５として入手可能なジハードタロージメチル塩化アンモニウムである。
【００５０】
アミン：
好適なアミンとしては、アミドエステルアミン、アミドアミン、イミダゾリンアミン、アルキルアミン及びこれらの組み合わせからなる群から選択される材料が挙げられるが、これらに限定されない。好適なエステルアミンとしては、モノエステルアミン、ジエステルアミン、トリエステルアミン、及びこれらの組み合わせからなる群から選択される材料が挙げられるが、これらに限定されない。好適なアミドアミンとしては、モノアミドアミン、ジアミドアミン、及びこれらの組み合わせからなる群から選択される材料が挙げられるが、これらに限定されない。好適なアルキルアミンとしては、モノアルキルアミン、ジアルキルアミンクワット、トリアルキルアミン、及びこれらの組み合わせからなる群から選択される材料が挙げられるが、これらに限定されない。
【００５１】
脂肪酸：
本組成物は、布地柔軟化活性物質としての遊離脂肪酸などの脂肪酸を含み得る。「脂肪酸」という用語は、本明細書では、非プロトン化又はプロトン化形態の脂肪酸を含むように、最も広い意味で使用されている。当業者は、ある脂肪酸がプロトン化されているか、プロトン化されていないかが、ある程度、水性組成物のｐＨによって決まることを容易に理解するであろう。脂肪酸は、その非プロトン化形態、又は塩形態であり、カルシウム、マグネシウム、ナトリウム、カリウムなどが挙げられるがこれらに限定されない、対イオンを伴い得る。「遊離脂肪酸」という用語は、別の化学部分に結合（共有結合又は別様に結合）していない脂肪酸を意味する。
【００５２】
脂肪酸としては、１２個〜２５個、１３個〜２２個、又は更には１６個〜２０個の総炭素原子を含有し、かつ脂肪部分に１０個〜２２個、１２個〜１８個、又は更には１４個（ミッドカット）〜１８個の炭素原子を含有しているものを挙げることができる。
【００５３】
脂肪酸は、以下のものに由来し得る：（１）動物脂肪及び／又は部分水素添加動物脂肪（牛脂、ラードなど）、（２）植物油、及び／又は部分水素添加植物油（キャノーラ油、ベニバナ油、ピーナッツ油、ヒマワリ油、ゴマ種子油、ナタネ油、綿実油、トウモロコシ油、ダイズ油、トール油、米ぬか油、パーム油、パーム核油、ココナッツ油、その他の熱帯パーム油、アマニ油、キリ油、ヒマシ油など）、（３）熱、圧力、アルカリ異性化、及び触媒処理を介した加工油及び／又は増粘油（bodied oils）（アマニ油又はキリ油など）、（４）飽和脂肪酸（例えば、ステアリン酸）、不飽和脂肪酸（例えば、オレイン酸）、多不飽和脂肪酸（リノール酸）、分枝状脂肪酸（例えば、イソステアリン酸）、又は環状脂肪酸（例えば、多不飽和酸の飽和又は不飽和二置換シクロペンチル又はシクロヘキシル誘導体）を生じさせるための、上記のものの組み合わせ。
【００５４】
異なる脂肪源由来の脂肪酸の混合物を使用することができる。
【００５５】
不飽和脂肪酸のシス／トランス比が重要である場合があり、（Ｃ１８：１材料の）シス／トランス比は、少なくとも１：１、少なくとも３：１、４：１以上、又は更には９：１以上である。
【００５６】
また、酸化に対して、並びに結果として生じる色及び臭気の質の悪化に対してより安定であり得るため、イソステアリン酸などの分枝鎖状脂肪酸もまた好適である。脂肪酸は、０〜１４０、５０〜１２０、又は更には８５〜１０５のヨウ素価を有し得る。
【００５７】
多糖類：
本組成物は、布地柔軟化活性物質としてカチオン性デンプンなどの多糖類を含み得る。本組成物で使用するのに好適なカチオン性デンプンは、Ｃｅｒｅｓｔａｒから商品名Ｃ＊ＢＯＮＤ（登録商標）として、及びＮａｔｉｏｎａｌ  Ｓｔａｒｃｈ  ａｎｄ  Ｃｈｅｍｉｃａｌ  Ｃｏｍｐａｎｙから商品名ＣＡＴＯ（登録商標）２Ａとして市販されている。
【００５８】
ショ糖エステル：
本組成物は、布地柔軟化活性物質としてショ糖エステルを含み得る。ショ糖エステルは通常、ショ糖及び脂肪酸に由来し得る。ショ糖エステルは、そのヒドロキシル基のうちの１つ以上がエステル化されているショ糖部分で構成されている。
【００５９】
ショ糖は、以下の式を有する二糖である。
【００６０】
【化１３】
2020528091.tif 000014
【００６１】
あるいは、ショ糖分子は、式、Ｍ（ＯＨ）８（式中、Ｍは、二糖主鎖である）によって表すことができ、この分子内には合計８個のヒドロキシル基がある。
【００６２】
したがって、ショ糖エステルは、以下の式によって表すことができ、
Ｍ（ＯＨ）８−ｘ（ＯＣ（Ｏ）Ｒ１）ｘ
式中、ｘは、エステル化されているヒドロキシル基の数であり、他方、（８−ｘ）は、未変化のままであるヒドロキシル基であり、ｘは、１〜８、あるいは２〜８、あるいは３〜８、又は４〜８から選択される整数であり、Ｒ１部分は独立して、Ｃ１〜Ｃ２２アルキル又はＣ１〜Ｃ３０アルコキシから選択され、直鎖状又は分枝鎖状であり、環式又は非環式であり、飽和又は不飽和であり、置換又は非置換である。
【００６３】
Ｒ１部分は、独立して選択され、様々な鎖長を有する、直鎖状アルキル又はアルコキシ部分を含み得る。例えば、Ｒ１は、直鎖状アルキル又はアルコキシ部分の混合物を含み得、直鎖の２０％超がＣ１８であり、あるいは直鎖の５０％超がＣ１８であり、あるいは直鎖の８０％超がＣ１８である。
【００６４】
Ｒ１部分は、飽和及び不飽和アルキル又はアルコキシ部分の混合物を含み得る。本明細書に用いるのに好適なショ糖エステルのヨウ素価（iodine value、ＩＶ）は、１〜１５０、又は２〜１００、又は５〜８５に及ぶ。Ｒ１部分を水素添加して、不飽和度を低減させてもよい。より高いＩＶ、例えば、４０〜９５が好ましい場合、オレイン酸、並びにダイズ油及びキャノーラ油に由来する脂肪酸が好適な出発材料である。
【００６５】
不飽和Ｒ１部分は、不飽和部位について「シス」型と「トランス」型との混合物を含み得る。「シス」／「トランス」比は、１：１〜５０：１、又は２：１〜４０：１、又は３：１〜３０：１、又は４：１〜２０：１の範囲であり得る。
【００６６】
分散性ポリオレフィン及びラテックス：
一般に、布地柔軟化効果をもたらす全ての分散性ポリオレフィンは、本発明において布地柔軟化活性物質として使用することができる。ポリオレフィンは、ワックス、エマルジョン、分散液又は懸濁液の形態であり得る。
【００６７】
ポリオレフィンは、ポリエチレン、ポリプロピレン、又はこれらの組み合わせから選択されてよい。カルボキシル、アルキルアミド、スルホン酸又はアミド基などの様々な官能基を含有するように、ポリオレフィンを少なくとも部分的に修飾してもよい。ポリオレフィンは、少なくとも部分的にカルボキシル修飾、あるいは言い換えれば、酸化されていてもよい。
【００６８】
布地柔軟化活性物質の非限定的な例としては、分散性ポリエチレン及びポリマーラテックスが挙げられる。これらの剤は、エマルジョン、ラテックス、分散液、及び懸濁液などの形態であり得る。一態様では、それらは、エマルジョン又はラテックスの形態である。分散性ポリエチレン及びポリマーラテックスは、以下の範囲を含むがこれらに限定されない、広範な粒径直径（χ５０）を有することができる：１ｎｍ〜１００μｍ；あるいは１０ｎｍ〜１０μｍ。したがって、分散性ポリエチレン及びポリマーラテックスの粒径は、限定するものではないが、一般にシリコーン又は他の脂肪油よりも小さい。
【００６９】
一般に、ポリマーエマルジョンの作製又はポリマーラテックスの乳化重合に好適な任意の界面活性剤は、本発明において布地柔軟剤活性物質として使用されるポリマーエマルジョン及びラテックスに対する乳化剤として使用することができる。好適な界面活性剤としては、アニオン性、カチオン性、及び非イオン性界面活性剤、並びにこれらの組み合わせが挙げられる。一態様において、このような界面活性剤は、非イオン性及び／又はアニオン性界面活性剤である。一態様では、布地柔軟化活性物質中の界面活性剤とポリマーとの比はそれぞれ、１：５である。
【００７０】
追加のシリコーン
布地柔軟化組成物は、切断可能な主鎖を含むシロキサンポリマーに加えて、シリコーンを含んでもよい。シリコーンの好適な濃度は、本組成物の約０．１重量％〜約７０重量％、あるいは約０．３重量％〜約４０重量％、あるいは約０．５重量％〜約３０重量％、あるいは約１重量％〜約２０重量％を含み得る。有用なシリコーンは、任意のシリコーン含有化合物であり得る。一実施形態では、シリコーンポリマーは、環状シリコーン、ポリジメチルシロキサン、アミノシリコーン、カチオン性シリコーン、シリコーンポリエーテル、シリコーン樹脂、シリコーンウレタン、及びこれらの混合物からなる群から選択される。シリコーンは、ポリジアルキルシリコーン、あるいはポリジメチルシリコーン（ポリジメチルシロキサン、すなわち（polydimethyl siloxane、「ＰＤＭＳ」））、又はこれらの誘導体であり得る。シリコーンは、アミノ官能性シリコーン、アミノ−ポリエーテルシリコーン、アルキルオキシル化シリコーン、カチオン性シリコーン、エトキシル化シリコーン、プロポキシル化シリコーン、エトキシル化／プロポキシル化シリコーン、第四級シリコーン、又はこれらの組み合わせから選択され得る。
【００７１】
界面活性剤
いくつかの例では、追加の界面活性剤は、１つ以上のアニオン性界面活性剤を含む。選択洗浄組成物などのいくつかの例では、界面活性剤は、１つ以上のアニオン性界面活性剤から本質的になってもよく、又は更には１つ以上のアニオン性界面活性剤からなってもよい。
【００７２】
好適なアニオン性界面活性剤の具体的で非限定的な例としては、任意の従来のアニオン性界面活性剤が挙げられる。これは、例えば、アルコキシル化及び／又は非アルコキシル化アルキル硫酸塩材料用の硫酸塩洗浄性界面活性剤、及び／又はスルホン酸系洗浄性界面活性剤、例えば、アルキルベンゼンスルホン酸塩を含んでもよい。
【００７３】
アルコキシル化アルキル硫酸塩材料は、アルキルエーテル硫酸塩又はアルキルポリエトキシレート硫酸塩としても既知のエトキシル化アルキル硫酸塩界面活性剤を含む。エトキシル化アルキル硫酸塩の例としては、水溶性塩、特に約８個〜約３０個の炭素原子を含有するアルキル基並びにスルホン酸及びその塩を分子構造の中に有する有機硫黄化合物のアルカリ金属塩、アンモニウム塩、及びアルキロールアンモニウム塩が挙げられる。（「アルキル」という用語には、アシル基のアルキル部分が含まれる。いくつかの例では、アルキル基は、約１５個の炭素原子〜約３０個の炭素原子を含有する。別の例では、アルキルエーテル硫酸塩界面活性剤は、約１２個〜３０個の炭素原子の範囲内の平均（算術平均）炭素鎖長、及びいくつかの例では約１２個〜１５個の炭素原子の平均炭素鎖長、並びに約１ｍｏｌ〜４ｍｏｌのエチレンオキシドの平均（算術平均）エトキシル化度、及びいくつかの例では約１．８ｍｏｌから約４ｍｏｌのエチレンオキシドの平均（算術平均）エトキシル化度を有する、アルキルエーテル硫酸塩の混合物であってもよい。更なる例では、アルキルエーテル硫酸塩界面活性剤は、約１０個の炭素原子〜約１８個の炭素原子の炭素鎖長、及び約１〜約６モルのエチレンオキシドのエトキシル化度を有していてよい。更なる例では、本アルキルエーテル硫酸塩界面活性剤は、ピークのあるエトキシル化分布を含んでもよい。
【００７４】
非エトキシル化アルキル硫酸塩はまた、開示されるクリーニング組成物に添加して、アニオン性界面活性剤の構成成分として使用してもよい。非アルコキシル化、例えば、非エトキシル化アルキル硫酸塩界面活性剤の例としては、高級Ｃ８〜Ｃ２０脂肪族アルコールの硫酸化によって生成されるものが挙げられる。いくつかの例では、一級アルキル硫酸塩界面活性剤は、一般式：ＲＯＳＯ３−Ｍ＋（式中、Ｒは、典型的には、直鎖状Ｃ８〜Ｃ２０ヒドロカルビル基（この基は、直鎖状であっても分枝鎖状であってもよい）であり、Ｍは、水可溶化カチオンである）を有する。いくつかの例では、Ｒは、Ｃ１０〜Ｃ１５アルキルであり、Ｍは、アルカリ金属である。他の例では、Ｒは、Ｃ１２〜Ｃ１４アルキルであり、Ｍは、ナトリウムである。
【００７５】
他の有用なアニオン性界面活性剤は、アルキル基が約９個〜約１５個の炭素原子を直鎖状（線状）又は分枝鎖状の配置で含有する、アルキルベンゼンスルホン酸塩のアルカリ金属塩を含み得る。いくつかの例では、アルキル基は、直線状である。かかる直鎖状アルキルベンゼンスルホン酸塩は、「ＬＡＳ」として既知である。他の例では、直鎖状アルキルベンゼンスルホン酸塩は、アルキル基中に約１１個〜１４個の平均炭素原子数を有してもよい。具体的な例では、線状直鎖状アルキルベンゼンスルホン酸塩は、アルキル基中に約１１．８個の炭素原子の平均炭素原子数を有してもよく、これはＣ１１．８  ＬＡＳと略される場合もある。
【００７６】
好適なアルキルベンゼンスルホン酸塩（linear alkylbenzene sulfonate、ＬＡＳ）は、市販の直鎖状アルキルベンゼン（linear alkyl benzene、ＬＡＢ）をスルホン化することによって得ることができる。好適なＬＡＢとしては、商品名Ｉｓｏｃｈｅｍ（登録商標）としてＳａｓｏｌによって供給されているもの又は商品名Ｐｅｔｒｅｌａｂ（登録商標）としてＰｅｔｒｅｓａによって供給されているものなどの低２−フェニルＬＡＢが挙げられ、他の好適なＬＡＢとしては、商品名Ｈｙｂｌｅｎｅ（登録商標）としてＳａｓｏｌによって供給されているものなどの高２−フェニルＬＡＢが挙げられる。好適なアニオン性洗浄性界面活性剤は、ＤＥＴＡＬ触媒プロセスによって得られるアルキルベンゼンスルホン酸塩であるが、ＨＦなどの他の合成経路が好適な場合もある。ＬＡＳのマグネシウム塩を用いることも可能である。
【００７７】
洗浄性界面活性剤は、中鎖分枝状洗浄性界面活性剤、好ましくは、中鎖分枝状アニオン性洗浄性界面活性剤、より好ましくは、中鎖分枝状アルキル硫酸塩及び／又は中鎖分枝状アルキルベンゼンスルホン酸塩、例えば、中鎖分枝状アルキル硫酸塩であってもよい。中鎖分枝は、典型的には、メチル基及び／又はエチル基などのＣ１〜４アルキル基であり得る。
【００７８】
本明細書で有用な他のアニオン性界面活性剤は、約８〜約２４個（いくつかの例では、約１２〜１８個）の炭素原子を含有するパラフィンスルホン酸塩及び二級アルカンスルホン酸塩の水溶性塩；アルキルグリセリルエーテルスルホン酸塩、特にＣ８〜１８アルコール（例えば、獣脂及びココナッツ油由来のもの）のエーテルである。アルキルベンゼンスルホン酸塩と、上述のパラフィンスルホン酸塩、二級アルカンスルホン酸塩及びアルキルグリセリルエーテルスルホン酸塩との混合物も有用である。更なる好適なアニオン性界面活性剤としては、メチルエステルスルホン酸塩及びアルキルエーテルカルボン酸塩が挙げられる。
【００７９】
非イオン性界面活性剤
本発明の組成物は、組成物の約０．１重量％〜約４０重量％の１つ以上の非イオン性界面活性剤を含み得る。本組成物は、組成物の約０．１重量％〜約１５重量％の、１つ以上の非イオン性界面活性剤から選択される追加の界面活性剤を含み得る。本組成物は、組成物の約０．３重量％〜約１０重量％の、１つ以上の非イオン性界面活性剤から選択される界面活性剤を含み得る。
【００８０】
本明細書で有用な好適な非イオン性界面活性剤は、任意の従来の非イオン性界面活性剤を含むことができる。これらには、例えば、アルコキシル化脂肪族アルコール、及びアミンオキシド界面活性剤が含まれ得る。いくつかの例では、本洗浄組成物は、エトキシル化非イオン性界面活性剤を含有してもよい。非イオン性界面活性剤は、式、Ｒ（ＯＣ２Ｈ４）ｎＯＨ（式中、Ｒは、約８〜約１７個の炭素原子を含有する脂肪族炭化水素ラジカル、及びアルキル基は約８〜約１２個の炭素原子を含有するアルキルフェニルラジカルからなる群から選択され、ｎの平均値は、約５〜約１５である）のエトキシル化アルコール及びエトキシル化アルキルフェノールから選択され得る。非イオン性界面活性剤は、アルコール中に平均約２４個の炭素原子及びアルコール１モル当たりエチレンオキシド約９モルの平均エトキシル化度を有するエトキシル化アルコールから選択され得る。
【００８１】
本明細書で有用な、非イオン性界面活性剤の他の非限定例としては、Ｃ８〜Ｃ１８アルキルエトキシレート（Ｓｈｅｌｌ製のＮＥＯＤＯＬ（登録商標）非イオン性界面活性剤など）、アルコキシレート単位がエチレンオキシ単位、プロピレンオキシ単位、又はこれらの混合物であり得るＣ６〜Ｃ１２アルキルフェノールアルコキシレート、Ｃ１２〜Ｃ１８アルコール、及びエチレンオキシド／プロピレンオキシドブロックポリマーとのＣ６〜Ｃ１２アルキルフェノール縮合物、例えば、ＢＡＳＦ製のＰｌｕｒｏｎｉｃ（登録商標）、Ｃ１４〜Ｃ２２中鎖分枝状アルコール、アルキルポリ多糖、ポリヒドロキシ脂肪酸アミド及びエーテルでキャップされたポリ（オキシアルキル化）アルコール界面活性剤が挙げられる。
【００８２】
好適な非イオン性洗浄性界面活性剤はまた、アルキルポリグルコシド及びアルキルアルコキシル化アルコールを含む。好適な非イオン性界面活性剤はまた、商品名Ｌｕｔｅｎｓｏｌ（登録商標）としてＢＡＳＦから販売されているものを含む。
【００８３】
非イオン性界面活性剤は、Ｃ８〜１８アルキルアルコキシル化アルコール、例えばＣ８〜１８アルキルエトキシル化アルコールなどのアルキルアルコキシル化アルコールから選択され得る。アルキルアルコキシル化アルコールは、約１〜約５０、又は約１〜約３０、又は約１〜約２０、又は約１〜約１０の平均アルコキシル化度を有してよい。特定の態様では、アルキルアルコキシル化アルコールは、約１〜約１０、又は約１〜約７、又は約１〜約５、又は約３〜約７の平均エトキシル化度を有するＣ８〜１８アルキルエトキシル化アルコールである。アルキルアルコキシル化アルコールは、直鎖状又は分枝鎖状、置換又は非置換であり得る。
【００８４】
酵素
本明細書に記述される組成物は、清浄性能及び／又は布地ケア効果をもたらす１つ以上の酵素を含んでもよい。好適な酵素の例としては、ヘミセルラーゼ、ペルオキシダーゼ、プロテアーゼ、セルラーゼ、キシラナーゼ、リパーゼ、キシログルカナーゼ、ホスホリパーゼ、エステラーゼ、クチナーゼ、ペクチナーゼ、マンナナーゼ、ペクチン酸リアーゼ、ケラチナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ、及びアミラーゼ、又はこれらの混合物が挙げられるが、これらに限定されない。典型的な組み合わせは、例えば、プロテアーゼ及びリパーゼをアミラーゼと共に含んでもよい酵素カクテルである。前述の追加の酵素は、洗剤組成物中に存在する場合、洗剤組成物の約０．００００１重量％〜約２重量％、約０．０００１重量％〜約１重量％、又は更には約０．００１重量％〜約０．５重量％の酵素タンパク質濃度で存在し得る。
【００８５】
好ましい酵素は、プロテアーゼを含んでもよい。好適なプロテアーゼとしては、メタロプロテアーゼ及びセリンプロテアーゼが挙げられ、例えば、サブチリシン（ＥＣ  ３．４．２１．６２）などの中性又はアルカリ性微生物セリンプロテアーゼを含む。好適なプロテアーゼとしては、動物、植物又は微生物起源のものが挙げられる。好適なプロテアーゼは、微生物由来のものであり得る。好適なプロテアーゼとしては、前述の好適なプロテアーゼの化学的又は遺伝的に就職された突然変異体が挙げられる。好適なプロテアーゼは、例えば、アルカリ性微生物プロテアーゼ又は／及びトリプシン型プロテアーゼなどの、セリンプロテアーゼであり得る。
【００８６】
好適な市販のプロテアーゼとしては、Ｎｏｖｏｚｙｍｅｓ  Ａ／Ｓ（Ｄｅｎｍａｒｋ）により商品名Ａｌｃａｌａｓｅ（登録商標）、Ｓａｖｉｎａｓｅ（登録商標）、Ｐｒｉｍａｓｅ（登録商標）、Ｄｕｒａｚｙｍ（登録商標）、Ｐｏｌａｒｚｙｍｅ（登録商標）、Ｋａｎｎａｓｅ（登録商標）、Ｌｉｑｕａｎａｓｅ（登録商標）、Ｌｉｑｕａｎａｓｅ  Ｕｌｔｒａ（登録商標）、Ｓａｖｉｎａｓｅ  Ｕｌｔｒａ（登録商標）、Ｏｖｏｚｙｍｅ（登録商標）、Ｎｅｕｔｒａｓｅ（登録商標）、Ｅｖｅｒｌａｓｅ（登録商標）及びＥｓｐｅｒａｓｅ（登録商標）で販売されているもの、Ｇｅｎｅｎｃｏｒ  Ｉｎｔｅｒｎａｔｉｏｎａｌにより商品名Ｍａｘａｔａｓｅ（登録商標）、Ｍａｘａｃａｌ（登録商標）、Ｍａｘａｐｅｍ（登録商標）、Ｐｒｏｐｅｒａｓｅ（登録商標）、Ｐｕｒａｆｅｃｔ（登録商標）、Ｐｕｒａｆｅｃｔ  Ｐｒｉｍｅ（登録商標）、Ｐｕｒａｆｅｃｔ  Ｏｘ（登録商標）、ＦＮ３（登録商標）、ＦＮ４（登録商標）、Ｅｘｃｅｌｌａｓｅ（登録商標）、及びＰｕｒａｆｅｃｔ  ＯＸＰ（登録商標）で販売されているもの、Ｓｏｌｖａｙ  Ｅｎｚｙｍｅｓにより商品名Ｏｐｔｉｃｌｅａｎ（登録商標）及びＯｐｔｉｍａｓｅ（登録商標）販売されているもの、Ｈｅｎｋｅｌ／Ｋｅｍｉｒａから入手可能なもの、すなわち、全てＨｅｎｋｅｌ／Ｋｅｍｉｒａ製の、ＢＬＡＰ、ＢＬＡＰ  Ｘ、及びＢＬＡＰ  Ｆ４９、並びに花王製のＫＡＰが挙げられる。
【００８７】
好適なα−アミラーゼとしては、細菌又は真菌起源のものが挙げられる。化学的又は遺伝的に改変された突然変異体（変異体）が含まれる。好ましいアルカリ性アルファ−アミラーゼは、バチルス（Bacillus）の菌種、例えば、バチルス・リケニフォルミス（Bacillus licheniformis）、バチルス・アミロリケファシエンス（Bacillus amyloliquefaciens）、バチルス・ステアロサーモフィルス（Bacillus stearothermophilus）、バチルス・サブチルス（Bacillus subtilis）、又は他のバチルス（Bacillus）属に由来する。
【００８８】
好適な市販のアルファ−アミラーゼとしては、ＤＵＲＡＭＹＬ（登録商標）、ＬＩＱＵＥＺＹＭＥ（登録商標）、ＴＥＲＭＡＭＹＬ（登録商標）、ＴＥＲＭＡＭＹＬ  ＵＬＴＲＡ（登録商標）、ＮＡＴＡＬＡＳＥ（登録商標）、ＳＵＰＲＡＭＹＬ（登録商標）、ＳＴＡＩＮＺＹＭＥ（登録商標）、ＳＴＡＩＮＺＹＭＥ  ＰＬＵＳ（登録商標）、ＦＵＮＧＡＭＹＬ（登録商標）、及びＢＡＮ（登録商標）（Ｎｏｖｏｚｙｍｅｓ  Ａ／Ｓ（Ｂａｇｓｖａｅｒｄ，Ｄｅｎｍａｒｋ））、ＫＥＭＺＹＭ（登録商標）ＡＴ  ９０００（Ｂｉｏｚｙｍ  Ｂｉｏｔｅｃｈ  Ｔｒａｄｉｎｇ  ＧｍｂＨ（Ｗｅｈｌｉｓｔｒａｓｓｅ  ２７ｂ  Ａ−１２００  Ｗｉｅｎ  Ａｕｓｔｒｉａ）、ＲＡＰＩＤＡＳＥ（登録商標）、ＰＵＲＡＳＴＡＲ（登録商標）、ＥＮＺＹＳＩＺＥ（登録商標）、ＯＰＴＩＳＩＺＥ  ＨＴ  ＰＬＵＳ（登録商標）、ＰＯＷＥＲＡＳＥ（登録商標）、及びＰＵＲＡＳＴＡＲ  ＯＸＡＭ（登録商標）（Ｇｅｎｅｎｃｏｒ  Ｉｎｔｅｒｎａｔｉｏｎａｌ  Ｉｎｃ．，（Ｐａｌｏ  Ａｌｔｏ，Ｃａｌｉｆｏｒｎｉａ）、並びにＫＡＭ（登録商標）（花王（１０３−８２１０、東京都中央区日本橋茅場町１丁目１４−１０））が挙げられる。一態様では、好適なアミラーゼとしては、ＮＡＴＡＬＡＳＥ（登録商標）、ＳＴＡＩＮＺＹＭＥ（登録商標）、及びＳＴＡＩＮＺＹＭＥ  ＰＬＵＳ（登録商標）、並びにこれらの混合物が挙げられる。
【００８９】
一態様では、かかる酵素は、「第１のサイクルのリパーゼ」を含む、リパーゼからなる群から選択され得る。好ましいリパーゼとしては、商品名Ｌｉｐｅｘ（登録商標）及びＬｉｐｏｌｅｘ（登録商標）で販売されているものが挙げられる。
【００９０】
一態様では、他の好ましい酵素としては、微生物由来のエンドグルカナーゼが挙げられる。好適なエンドグルカナーゼは、商品名Ｃｅｌｌｕｃｌｅａｎ（登録商標）及びＷｈｉｔｅｚｙｍｅ（登録商標）（Ｎｏｖｏｚｙｍｅｓ  Ａ／Ｓ（Ｂａｇｓｖａｅｒｄ，Ｄｅｎｍａｒｋ）として販売されている。
【００９１】
他の好ましい酵素としては、商品名Ｐｅｃｔａｗａｓｈ（登録商標）、Ｐｅｃｔａｗａｙ（登録商標）、Ｘｐｅｃｔ（登録商標）として販売されているペクチン酸リアーゼ、並びに商品名Ｍａｎｎａｗａｙ（登録商標）（全てＮｏｖｏｚｙｍｅｓ  Ａ／Ｓ（Ｂａｇｓｖａｅｒｄ，Ｄｅｎｍａｒｋ）製）及びＰｕｒａｂｒｉｔｅ（登録商標）（Ｇｅｎｅｎｃｏｒ  Ｉｎｔｅｒｎａｔｉｏｎａｌ  Ｉｎｃ．（Ｐａｌｏ  Ａｌｔｏ，Ｃａｌｉｆｏｒｎｉａ））として販売されているマンナナーゼが挙げられる。
【００９２】
酵素安定化系
本明細書に記載されている酵素含有組成物は、任意に、組成物の約０．００１重量％〜約１０重量％、いくつかの例では、約０．００５重量％〜約８重量％、及び別の例では、約０．０１重量％〜約６重量％の酵素安定化系を含んでもよい。酵素安定化系は、洗浄性酵素と適合性のある任意の安定化系であってよい。かかる系は、他の配合物活性物質によって本質的に提供されても、洗剤に使用可能な酵素の配合者若しくは製造業者によって別個に添加されてもよい。かかる安定化系は、例えば、カルシウムイオン、ホウ酸、プロピレングリコール、短鎖カルボン酸、ボロン酸、塩素漂白剤捕捉剤、及びこれらの混合物を含むことができ、洗浄組成物のタイプ及び物理的形態に応じて異なる安定化問題に対処するように設計されている。
【００９３】
ビルダー
本発明の洗浄組成物は、任意に、ビルダーを含んでもよい。ビルダー入り清浄組成物は、典型的には、組成物の総重量に基づいて、少なくとも約１重量％のビルダーを含む。液体洗浄組成物は、組成物の総重量の最大約１０％、及びいくつかの例では、最大８％のビルダーを含んでもよい。顆粒洗浄組成物は、組成物の最大約３０重量％、及びいくつかの例では、最大５重量％のビルダーを含んでもよい。
【００９４】
アルミノケイ酸塩（例えば、ゼオライトＡ、ゼオライトＰ、及びゼオライトＭＡＰなどのゼオライトビルダー）及びケイ酸塩から選択されるビルダーは、洗浄水の鉱物質硬度、特にカルシウム及び／若しくはマグネシウムの制御、又は表面からの微粒子汚れの除去を補助する。好適なビルダーは、ポリリン酸塩（例えばナトリウムトリ−ポリリン酸塩）、特にそのナトリウム塩などのリン酸塩；炭酸塩、重炭酸塩、セスキ炭酸塩、及び炭酸ナトリウム又はセスキ炭酸塩以外の炭酸塩鉱物；有機モノ−、ジ−、トリ−、及びテトラカルボン酸塩、特に酸、ナトリウム、カリウム、又はアルカノールアンモニウム塩形態の水溶性非界面活性剤カルボン酸塩、並びに脂肪族及び芳香族のタイプを含むオリゴマー又は水溶性低分子量ポリマーカルボン酸塩、並びにフィチン酸からなる群から選択され得る。追加の好適なビルダーは、クエン酸、乳酸、脂肪酸、ポリカルボン酸塩ビルダー、例えばアクリル酸のコポリマー、アクリル酸及びマレイン酸のコポリマー、並びにアクリル酸及び／又はマレイン酸、及び様々なタイプの追加の官能基を有する他の好適なエチレン系モノマーのコポリマーから選択されてもよい。また、本明細書のビルダーとしての使用に好適なものは、鎖構造を有し、以下の一般的な無水物形態ｘ（Ｍ２Ｏ）・ｙＳｉＯ２・ｚＭ’Ｏによって表される組成を有する、合成された結晶性イオン交換材料又はその水和物であり、式中、Ｍは、Ｎａ及び／又はＫであり、Ｍ’は、Ｃａ及び／又はＭｇであり、ｙ／ｘは、０．５〜２．０であり、ｚ／ｘは、０．００５〜１．０である。
【００９５】
あるいは、本組成物、はビルダーを実質的に含まなくてもよい。
【００９６】
構造化剤／増粘剤
ｉ．細菌セルロース
流体洗剤組成物はまた、約０．００５重量％〜約１重量％の細菌セルロース網状構造物を含むことができる。「細菌セルロース」という用語は、ＣＰＫｅｌｃｏ  Ｕ．Ｓ．によるＣＥＬＬＵＬＯＮ（登録商標）などのアセトバクター（Acetobacter）属の細菌の発酵によって生成された任意のタイプのセルロースを包含し、かつミクロフィブリル化セルロース、網状細菌セルロースなどと一般に称される物質を含む。一態様において、繊維は、１．６ｎｍ〜３．２ｎｍ×５．８ｎｍ〜１３３ｎｍの断面寸法を有する。更に、細菌セルロース繊維は、少なくとも約１００ｎｍ、又は約１００〜約１，５００ｎｍの平均ミクロ繊維長を有する。一態様では、細菌セルロースミクロ繊維は、約１００：１〜約４００：１、又は更には約２００：１〜約３００：１のアスペクト比を有し、このアスペクト比は、平均ミクロ繊維の長さをミクロ繊維の最大断面幅で除算したものを意味する。
【００９７】
ｉｉ．コーティングされた細菌セルロース
細菌セルロースは、高分子増粘剤で少なくとも部分的にコーティングされてもよい。少なくとも部分的にコーティングされている細菌セルロースは、約０．１重量％〜約５重量％、又は更には約０．５重量％〜約３重量％の細菌セルロース、及び約１０重量％〜約９０重量％のポリマー増粘剤を含んでもよい。好適な細菌セルロースは、上述の細菌セルロースを含むことができ、好適なポリマー増粘剤は、カルボキシメチルセルロース、陽イオン性ヒドロキシメチルセルロース、及びこれらの混合物を含む。
【００９８】
ｉｉｉ．非細菌セルロース由来のセルロース繊維
本組成物は、組成物の約０．０１〜約５重量％のセルロース繊維を更に含んでもよい。セルロース繊維は、野菜、果物、又は木材から抽出することができる。市販の例は、ＦＭＣ製のＡｖｉｃｅｌ（登録商標）、Ｆｉｂｅｒｓｔａｒ製のＣｉｔｒｉ−Ｆｉ、又はＣｏｓｕｎ製のＢｅｔａｆｉｂである。
【００９９】
ｉｖ．非高分子結晶質ヒドロキシル官能性材料
本組成物は、組成物の約０．０１〜約１重量％の非ポリマー結晶性ヒドロキシル官能性構造化剤を更に含んでもよい。非ポリマー結晶性ヒドロキシル官能性構造化剤は一般に、最終流体洗剤組成物への分散を補助するために、事前乳化が可能な結晶性グリセリドを含むことができる。結晶化可能なグリセリドは、硬化ヒマシ油つまり「hydrogenated castor oil、ＨＣＯ」、又はその誘導体を含んでもよく、但し、液体洗剤組成物中で結晶化させることができる。
【０１００】
ｖ．高分子構造化剤
本発明の流体洗剤組成物は、約０．０１重量％〜約５重量％の天然由来及び／又は合成のポリマー構造化剤を含むことができる。本発明において使用される天然由来のポリマー構造化剤の例としては、ヒドロキシエチルセルロース、疎水変性ヒドロキシエチルセルロース、カルボキシメチルセルロース、多糖誘導体、及びこれらの混合物が挙げられる。好適な多糖類誘導体としては、ペクチン、アルギネート、アラビノガラクタン（アラビアガム）、カラギーナン、ジェランガム、キサンタンガム、グアーガム、及びこれらの混合物が挙げられる。本発明において使用する合成ポリマー構造化剤の例としては、ポリカルボン酸塩、ポリアクリル酸塩、疎水修飾エトキシル化ウレタン、疎水修飾非イオン性ポリオール、及びこれらの混合物が挙げられる。ポリカルボン酸塩ポリマーは、ポリアクリレート、ポリメタクリレート、又はこれらの混合物であってよい。ポリアクリレートは、不飽和モノ−又はジ−炭酸と、（メタ）アクリル酸のＣ１〜Ｃ３０アルキルエステルとのコポリマーであってもよい。このポリマーは、Ｃａｒｂｏｐｏｌ  Ａｑｕａ  ３０という商品名でＮｏｖｅｏｎ  ｉｎｃから入手可能である。
【０１０１】
セルロースポリマー−本発明の消費者製品はまた、アルキルセルロース、アルキルアルコキシルセルロース、カルボキシアルキルセルロース、アルキルカルボキシアルキルセルロースから選択されるものを含む、１つ以上のセルロースポリマーを含んでもよい。セルロースポリマーは、カルボキシメチルセルロース、メチルセルロース、メチルヒドロキシエチルセルロース、メチルカルボキシメチルセルロース、及びこれらの混合物を含む群から選択され得る。カルボキシメチルセルロースは、０．５〜０．９のカルボキシメチル置換度、及び１００，０００Ｄａ〜３００，０００Ｄａの分子量を有し得る。
【０１０２】
漂白剤−本発明の洗剤組成物は、１つ以上の漂白剤を含んでもよい。漂白触媒以外の好適な漂白剤としては、光触媒、漂白活性剤、過酸化水素、過酸化水素源、予形成過酸、及びこれらの混合物が挙げられる。一般に、漂白剤が使用される場合、本発明の洗剤組成物は、洗剤組成物の約０．１重量％〜約５０重量％、又は更には約０．１重量％〜約２５重量％の漂白剤を含み得る。
【０１０３】
漂白触媒−本発明の洗剤組成物はまた、ペルオキシ酸及び／又はその塩から酸素原子を受け取り、その酸素原子を酸化可能な基質に移送することができる１つ以上の漂白触媒を含み得る。好適な漂白触媒としては、イミニウムカチオン及びポリイオン；イミニウム双性イオン；修飾アミン；修飾アミンオキシド；Ｎ−スルホニルイミン；Ｎ−ホスホニルイミン；Ｎ−アシルイミン；チアジアゾールジオキシド；ペルフルオロイミン；環状糖ケトン、並びにこれらの混合物が挙げられる、これらに限定されない。
【０１０４】
増白剤−蛍光増白剤若しくは他の増白剤、又は白化剤は、組成物の約０．０１重量％〜約１．２重量％の濃度で、本明細書に記載されている洗浄組成物に組み込むことができる。本発明に好適な市販の蛍光増白剤は、スチルベン、ピラゾリン、クマリン、ベンゾキサゾール、カルボン酸、メチンシアニン、ジベンゾチオフェン−５，５−ジオキシド、アゾール、５及び６員環の複素環、並びに他の様々な物質の誘導体を含むがこれらに限定されない、サブグループに分類することができる。
【０１０５】
水溶性フィルム
本発明の組成物はまた、水溶性フィルム内に封入されてもよい。好ましいフィルム材料は、好ましくはポリマー材料である。フィルム材料は、当該技術分野において公知のように、例えば、ポリマー材料の鋳型成形、吹込成形、押出成形、又は吹込押出成形によって得ることができる。
【０１０６】
パウチ材料として使用するのに好適な好ましいポリマー、コポリマー、又はそれらの誘導体は、ポリビニルアルコール、ポリビニルピロリドン、ポリアルキレンオキシド、アクリルアミド、アクリル酸、セルロース、セルロースエーテル、セルロースエステル、セルロースアミド、ポリ酢酸ビニル、ポリカルボン酸及びポリカルボン酸塩、ポリアミノ酸又はペプチド、ポリアミド、ポリアクリルアミド、マレイン酸／アクリル酸のコポリマー、デンプン及びゼラチンを含む多糖類、キサンタン及びカラゴムなどの天然ゴムから選択される。より好ましいポリマーは、ポリアクリレート及び水溶性アクリレートコポリマー、メチルセルロース、カルボキシメチルセルロースナトリウム、デキストリン、エチルセルロース、ヒドロキシエチルセルロース、ヒドロキシプロピルメチルセルロース、マルトデキストリン、ポリメタクリレートから選択され、最も好ましくは、ポリビニルアルコール、ポリビニルアルコールコポリマー、及びヒドロキシプロピルメチルセルロース（ＨＰＭＣ）、並びにこれらの組み合わせから選択される。好ましくは、パウチ材料中のポリマー、例えば、ＰＶＡポリマーの濃度は、少なくとも６０％である。ポリマーは、好ましくは、約１０００〜１，０００，０００、より好ましくは、約１０，０００〜３００，０００、更により好ましくは、約２０，０００〜１５０，０００の、任意の重量平均分子量を有してもよい。また、ポリマーの混合物をパウチ材料として使用してもよい。
【０１０７】
最も好ましいフィルム材料は、ＭｏｎｏＳｏｌの参照品であるＭ８６３０、Ｍ８９００、Ｈ８７７９で公知の、ＰＶＡフィルムである。
【０１０８】
布地色調剤
本組成物は、布地色調剤（色合い剤、青味剤、又は白化剤と称される場合もある）を含み得る。典型的には、色相剤は、布地に青色又は青紫色の色合いをもたらす。色調剤は、単独又は組み合わせのいずれかで使用して、特定の色相の色合いを作り出し、かつ／又は異なるタイプの布地に色合いを付けることができる。これは、例えば、赤色と緑−青色の染料とを混合して、青色又は青紫色の色合いを生じさせることによって、もたらされ得る。色調剤は、任意の既知の化学的部類の染料から選択されてもよく、これには、アクリジン、アントラキノン（多環式キノンを含む）、アジン、予金属化アゾを含むアゾ（例えば、モノアゾ、ジスアゾ、トリスアゾ、テトラキスアゾ、ポリアゾ）、ベンゾジフラン及びベンゾジフラノン、カロテノイド、クマリン、シアニン、ジアザヘミシアニン、ジフェニルメタン、ホルマザン、ヘミシアニン、インジゴイド、メタン、ナフタルイミド、ナフトキノン、ニトロ及びニトロソ、オキサジン、フタロシアニン、ピラゾール、スチルベン、スチリル、トリアリールメタン、トリフェニルメタン、キサンテン、並びにこれらの混合物が挙げられるが、これらに限定されない。
【０１０９】
好適な布地色調剤は、染料、染料−粘土結合体、並びに有機及び無機顔料を含む。好適な染料としては、低分子染料及びポリマー染料が挙げられる。好適な小分子染料は、例えば、青色、青紫色、赤色、緑色、又は黒色に分類され、単独又は組み合わせのいずれかで所望の色合いをもたらす、直接染料、塩基性染料、反応染料若しくは加水分解した反応性染料、溶媒染料、又は分散染料の色指数（Ｃ．Ｉ．）分類に分類される染料からなる群から選択される、小分子染料を含む。好適なポリマー染料としては、共有結合している（結合していると称されることもある）色原体（色素−ポリマー結合体）を含有するポリマー、例えば、ポリマーの骨格に共重合した色原体を有するポリマー、及びこれらの混合物からなる群から選択されるポリマー染料が挙げられる。
【０１１０】
好適な染料−粘土結合体としては、少なくとも１つのカチオン性／塩基性染料及びスメクタイト粘土、並びにこれらの混合物を含む群から選択される染料−粘土結合体が挙げられる。好適な顔料としては、フラバントロン、インダントロン、１〜４個の塩素原子を含有する塩素化インダントロン、ピラントロン、ジクロロピラントロン、モノブロモジクロロピラントロン、ジブロモジクロロピラントロン、テトラブロモピラントロン、ペリレン−３，４，９，１０−テトラカルボン酸ジイミド（イミド基は、非置換であっても、Ｃ１〜Ｃ３−アルキル若しくはフェニル若しくは複素環式ラジカルによって置換されていてもよく、これらのフェニル及び複素環式ラジカルは、水溶性を付与しない置換基を更に有してもよい）、アントラピリミジンカルボン酸アミド、ビオラントロン、イソビオラントロン、ジオキサジン顔料、１分子あたり最大２個の塩素原子を含有し得る銅フタロシアニン、１分子あたり最大１４個の臭素原子を含有するポリクロロ−銅フタロシアニン又はポリブロモクロロ−銅フタロシアニン、並びにこれらの混合物からなる群から選択される顔料が挙げられる。
【０１１１】
前述の布地色調剤は、組み合わせて使用することができる（布地色調剤のいずれの混合物も使用することができる）。
【０１１２】
分散香料
本発明の組成物は、分散香料組成物を含み得る。分散香料とは、本明細書では、布地柔軟剤組成物中に自由に分散しており、封入されていない香料組成物を意味する。香料組成物は、１つ以上の香料原材料を含む。香料原材料は、香料組成物を作製するのに使用される個々の化学物質である。香料原材料のタイプ及び数の選択は、最終的な所望の香りに依存する。本発明の文脈では、任意の好適な香料組成物を使用することができる。当業者であれば、香料組成物中での使用に好適な相溶性の香料原材料を認識し、所望の香りを得るための成分の組み合わせを選択する方法を理解するであろう。
【０１１３】
好ましくは、分散香料の濃度は、組成物の総重量に対して０．１％〜１０％、好ましくは、０．３％〜７．５％、より好ましくは、０．５％〜５．０％の濃度である。
【０１１４】
香料組成物は、香料組成物の総重量に対して２．５％〜３０％、好ましくは、５％〜３０％の、３．０未満のｌｏｇＰ及び２５０℃未満の沸点を特徴とする香料原材料を含んでもよい。
【０１１５】
香料組成物は、香料組成物の総重量に対して５％〜３０％、好ましくは、７％〜２５％の、３．０未満のｌｏｇＰ及び２５０℃超の沸点を有することを特徴とする香料原材料を含んでもよい。香料組成物は、香料組成物の総重量に対して３５％〜６０％、好ましくは、４０％〜５５％の、３．０超のｌｏｇＰ及び２５０℃未満の沸点を有することを特徴とする香料原材料を含んでもよい。香料組成物は、香料組成物の総重量に対して１０％〜４５％、好ましくは、１２％〜４０％の、３．０超のｌｏｇＰ及び２５０℃超の沸点を有することを特徴とする香料原材料を含んでもよい。
【０１１６】
香料送達技術
消費者製品は、香料成分によるトリートメントされた基材への付着及びそこからの放出を安定化及び改良する１つ以上の香料送達技術を含み得る。かかる香料送達技術を使用して、トリートメントされた基材からの香料の放出寿命を延長することもできる。香料送達技術、特定の香料送達技術を作製する方法、及びかかる香料送達技術の使用は、米国特許出願公開第２００７／０２７５８６６  Ａ１号に開示されている。
【０１１７】
流体布地改良組成物は、約０．００１重量％〜約２０重量％、約０．０１重量％〜約１０重量％、約０．０５重量％〜約５重量％、又は約０．１重量％〜約０．５重量％の香料送達技術を含み得る。香料送達技術は、香料カプセル、プロ香料、ポリマー粒子、官能化シリコーン、ポリマー支援型送達、分子支援型送達、繊維支援型送達、アミン支援型送達、シクロデキストリン、デンプン封入アコード、ゼオライト、及び無機担体、並びにこれらの混合物からなる群から選択され得る。
【０１１８】
香料送達技術は、香料を壁材料で少なくとも部分的に囲むことによって形成された、マイクロカプセルを含み得る。カプセル壁材料は、メラミン、ポリアクリルアミド、シリコーン、シリカ、ポリスチレン、ポリ尿素、ポリウレタン、ポリアクリレート系材料、ポリアクリル酸エステル系材料、ゼラチン、スチレンリンゴ酸無水物、ポリアミド、芳香族アルコール、ポリビニルアルコール、及びこれらの混合物を含み得る。メラミン壁材料は、ホルムアルデヒドで架橋されたメラミン、ホルムアルデヒドで架橋されたメラミン−ジメトキシエタノール、及びこれらの混合物を含み得る。ポリアクリレート系壁材料は、メチルメタクリレート／ジメチルアミノメチルメタクリレートから形成されたポリアクリレート、アミンアクリレート及び／又はメタクリレート並びに強酸から形成されたポリアクリレート、カルボン酸アクリレート及び／又はメタクリレートモノマー並びに強塩基から形成されたポリアクリレート、アミンアクリレート及び／又はメタクリレートモノマー並びにカルボン酸アクリレート及び／又はカルボン酸メタクリレートモノマーから形成されたポリアクリレート、並びにこれらの混合物を含み得る。
【０１１９】
ポリ尿素壁材料は、ポリイソシアネートを含み得る。ポリイソシアネートは、フェニル、トルオイル、キシリル、ナフチル、若しくはジフェニル部分を含有する芳香族ポリイソシアネート（例えば、トルエンジイソシアネートのポリイソシアヌレート、トルエンジイソシアネートのトリメチロールプロパン付加物、若しくはキシリレンジイソシアネートのトリメチロールプロパン付加物）、脂肪族ポリイソシアネート（例えば、ヘキサメチレンジイソシアネートの三量体、イソホロンジイソシアネートの三量体、若しくはヘキサメチレンジイソシアネートのビウレット）、又はこれらの混合物（例えば、ヘキサメチレンジイソシアネートのビウレット及びキシリレンジイソシアネートのトリメチロールプロパン付加物の混合物）であってもよい。ポリイソシアネートは、架橋されていてもよく、架橋剤は、ポリアミン（例えば、ジエチレントリアミン、ビス（３−アミノプロピル）アミン、ビス（ヘキサメチレン）トリアミン、トリス（２−アミノエチル）アミン、トリエチレンテトラミン、Ｎ，Ｎ’−ビス（３−アミノプロピル）−１，３−プロパンジアミン、テトラエチレンペンタミン、ペンタエチレンヘキサミン、分岐状ポリエチレンイミン、キトサン、ナイシン、ゼラチン、１，３−ジアミノグアニジン一塩酸塩、１，１−ジメチルビグアニド塩酸塩、又はグアニジン炭酸塩）である。
【０１２０】
ポリビニルアルコール系壁材料は、架橋された、疎水修飾ポリビニルアルコールを含んでもよく、このポリビニルアルコールは、ｉ）２，０００〜５０，０００Ｄａの分子量を有する第１デキストランアルデヒドと、ｉｉ）５０，０００超〜２，０００，０００Ｄａの分子量を有する第２デキストランアルデヒドとを含む架橋剤を含む。
【０１２１】
香料カプセルは、付着助剤、カチオン性ポリマー、非イオン性ポリマー、アニオン性ポリマー、又はこれらの混合物でコーティングされてもよい。好適なポリマーは、ポリビニルホルムアルデヒド、部分ヒドロキシル化ポリビニルホルムアルデヒド、ポリビニルアミン、ポリエチレンイミン、エトキシル化ポリエチレンイミン、ポリビニルアルコール、ポリアクリレート、及びこれらの組み合わせからなる群から選択され得る。一態様では、１つ以上のタイプのマイクロカプセル、例えば、２つのタイプのマイクロカプセルであって、第１又は第２のマイクロカプセルのうちの一方が、（ａ）他方とは異なる壁材料からなる壁を有するか、（ｂ）他方とは異なる量の壁材料又はモノマーを含む壁を有するか、又は（ｃ）他方とは異なる量の香油成分を含有するか、又は（ｄ）異なる香油を含有する、マイクロカプセルを使用してもよい。
【０１２２】
香料送達技術は、アミン化合物（ＡＲＰ）又はチオ化合物を含んでもよい。アミン及び／又はチオ官能基が、１つ以上の香料原材料（ＰＲＭ）と予反応して、化合物を形成する、「反応性」のポリマー性アミン及び／又はポリマー性チオを使用することもできる。典型的には、反応性アミンは、一級及び／又は二級アミンであり、ポリマーの一部であってもモノマー（非ポリマー）であってもよい。また、このようなＡＲＰを追加のＰＲＭと混合して、ポリマー支援型送達及び／又はアミン支援型送達の効果を提供することもできる。ポリマー性アミンの非限定的な例としては、ポリエチレンイミン（ＰＥＩ）などのポリアルキルイミン、又はポリビニルアミン（ＰＶＡｍ）に基づくポリマーが挙げられる。モノマー（非ポリマー）アミンの非限定的な例としては、ヒドロキシルアミン、例えば、２−アミノエタノール及びそのアルキル置換誘導体、並びに芳香族アミン、例えば、アントラニレートが挙げられる。ＡＲＰは、香料と予混合しておいてもよく、リーブオン用途又はリンスオフ用途では別個に添加してもよい。窒素及び／又は硫黄以外のヘテロ原子（例えば、酸素、リン又はセレンなど）を含有する材料を、アミン化合物の代替として使用してもよい。単一の分子が、アミン部分と、代替ヘテロ原子部分（例えば、チオール、ホスフィン、及びセレノール）のうちの１つ以上とを含んでもよい。その効果としては、香料の送達の改善に加えて、香料の徐放を挙げることができる。
【０１２３】
移染防止剤
布地洗浄組成物はまた、洗浄工程中に、ある布地から別の布地に染料が移るのを阻止するのに有効な１つ以上の物質を含んでもよい。一般に、かかる移染防止剤としては、ポリビニルピロリドンポリマー、ポリアミンＮ−オキシドポリマー、Ｎ−ビニルピロリドン及びＮ−ビニルイミダゾールのコポリマー、マンガンフタロシアニン、ペルオキシダーゼ、並びにこれらの混合物が挙げられ得る。使用される場合、これらの薬剤は、組成物の約０．０００１重量％〜約１０重量％、いくつかの例では、組成物の約０．０１重量％〜約５重量％、好ましくは、組成物の約０．０５重量％〜約２重量％の濃度で使用され得る。
【０１２４】
キレート剤
本明細書に記載されている洗剤組成物はまた、１つ以上の金属イオンのキレート剤を含有してもよい。好適な分子としては、銅、鉄、及び／又はマンガンキレート剤並びにこれらの混合物が挙げられる。かかるキレート剤は、ホスホン酸塩、アミノカルボン酸塩、アミノホスホン酸塩、コハク酸塩、多官能的に置換された芳香族キレート剤、２−ピリジノール−Ｎーオキシド化合物、ヒドロキサム酸、カルボキシメチルイヌリン、及びこれらの混合物からなる群から選択することができる。キレート剤は、アルカリ金属、アンモニウム、及びその置換アンモニウム塩、並びにこれらの混合物を含む、酸又は塩の形で存在することができる。
【０１２５】
キレート剤として有用なアミノカルボン酸塩としては、エチレンジアミンテトラアセテート（ethylenediaminetetracetate、ＥＤＴＡ）；Ｎ−（ヒドロキシエチル）エチレンジアミントリアセテート（ethylenediaminetriacetate、ＨＥＤＴＡ）；ニトリロトリアセテート（nitrilotriacetate、ＮＴＡ）；エチレンジアミンテトラプロプリオナート；トリエチレンテトラアミンヘキサアセテート、ジエチレントリアミン−ペンタアセテート（diethylenetriamine-pentaacetate、ＤＴＰＡ）；メチルグリシン二酢酸（methylglycinediacetic acid、ＭＧＤＡ）；グルタミン酸二酢酸（glutamic acid diacetic acid、ＧＬＤＡ）；エタノールジグリシン；トリエチレンテトラアミン六酢酸（triethylenetetraaminehexaacetic acid、ＴＴＨＡ）；Ｎ−ヒドロキシエチルイミノ二酢酸（N-hydroxyethyliminodiacetic acid、ＨＥＩＤＡ）；ジヒドロキシエチルグリシン（dihydroxyethylglycine、ＤＨＥＧ）；エチレンジアミンテトラプロピオン酸（ethylenediaminetetrapropionic acid、ＥＤＴＰ）、及びこれらの誘導体が挙げられるが、これらに限定されない。
【０１２６】
リン含有キレート化剤としては、以下に限定されないが、ジエチレントリアミンペンタ（メチレンホスホン酸）（ＤＴＰＭＰ  ＣＡＳ１５８２７−６０−８）；エチレンジアミンテトラ（メチレンホスホン酸）（ＥＤＴＭＰ  ＣＡＳ１４２９−５０−１）；２−ホスホノブタン１，２，４−トリカルボン酸（Ｂａｙｈｉｂｉｔ（登録商標）ＡＭ）；ヘキサメチレンジアミンテトラ（メチレンホスホン酸）（ＣＡＳ５６７４４−４７−９）；ヒドロキシ−エタンジホスホン酸（ＨＥＤＰ  ＣＡＳ２８０９−２１−４）；ヒドロキシエタンジメチレンホスホン酸；２−ホスホノ−１，２，４−ブタントリカルボン酸（ＣＡＳ３７９７１−３６−１）；２−ヒドロキシ−２−ホスホノ−酢酸（ＣＡＳ２３７８３−２６−８）；アミノトリ（メチレンホスホン酸）（ＡＴＭＰ  ＣＡＳ６４１９−１９−８）；Ｐ，Ｐ’−（１，２−エタンジイル）ビス−ホスホン酸（ＣＡＳ６１４５−３１−９）；Ｐ，Ｐ’−メチレンビス−ホスホン酸（ＣＡＳ１９８４−１５−２）；トリエチレンジアミンテトラ（メチレンホスホン酸）（ＣＡＳ２８４４４−５２−２）；Ｐ−（１−ヒドロキシ−１−メチルエチル）−ホスホン酸（ＣＡＳ４１６７−１０−６）；ビス（ヘキサメチレントリアミンペンタ（メチレンホスホン酸））（ＣＡＳ３４６９０−００−１）；Ｎ２，Ｎ２，Ｎ６，Ｎ６−テトラキス（ホスホノメチル）−リシン（ＣＡＳ１９４９３３−５６−７、ＣＡＳ１７２７８０−０３−９）、それらの塩、及びこれらの混合物が挙げられる。好ましくは、これらのアミノホスホン酸塩は、約６個を超える炭素原子を有するアルキル又はアルケニル基を含有しない。
【０１２７】
本明細書でやはり使用することができる生分解性キレート化剤は、エチレンジアミンジスクシネート（ethylenediamine disuccinate、「ＥＤＤＳ」）である。ＥＤＤＡの三ナトリウム塩を使用してもよいが、マグネシウム塩などの他の形態も有用であり得る。ＢＡＳＦ製のＴｒｉｌｏｎ  Ｐ（登録商標）などのポリマーキレート剤も有用であり得る。
【０１２８】
多官能性置換芳香族キレート剤も、洗浄組成物中に使用することができる。酸形態のこのタイプの化合物は、Ｔｉｒｏｎとしても知られている１，２−ジヒドロキシ−３，５−ジスルホベンゼンなどのジヒドロキシジスルホベンゼンである。他のスルホン酸化カテコールも使用されてもよい。二スルホン酸に加えて、「ｔｉｒｏｎ」という用語はまた、例えば、スルホン酸二ナトリウム塩などの、一又は二スルホン酸塩を含むことができ、これらの塩は、同じコア分子構造を二スルホン酸と共有する。
【０１２９】
本明細書での使用に好適な他のキレート剤は、市販のＤＥＱＵＥＳＴシリーズ、並びにＭｏｎｓａｎｔｏ製、Ａｋｚｏ−Ｎｏｂｅｌ製、ＤｕＰｏｎｔ製、Ｄｏｗ製のキレート剤、ＢＡＳＦ及びＮａｌｃｏ製のＴｒｉｌｏｎ（登録商標）シリーズである。
【０１３０】
キレート剤は、本明細書に開示される洗剤組成物の約０．００５重量％〜約１５重量％、約０．０１重量％〜約５重量％、約０．１重量％〜約３．０重量％、又は約０．２重量％〜約０．７重量％、又は約０．３重量％〜約０．６重量％で、本明細書に開示される洗剤組成物中に存在してもよい。
【０１３１】
衛生及び悪臭
本発明の組成物はまた、リシノール酸亜鉛、チモール、Ｂａｒｄａｃ（登録商標）などの四級アンモニウム塩、ポリエチレンイミン（ＢＡＳＦのＬｕｐａｓｏｌ（登録商標）など）、及びその亜鉛錯体、銀及び銀化合物、特にＡｇ＋又はナノ銀分散体を緩徐に放出するように設計されているもののうちの１つ以上も含み得る。
【０１３２】
充填剤及び担体
本明細書に記載されている洗浄組成物中に、充填剤及び担体を使用してもよい。本明細書で使用するとき、「充填剤」及び「担体」という用語は、同じ意味を有し、互換的に使用することができる。
【０１３３】
液体洗浄組成物、及び液体構成成分を含む他の形態の洗浄組成物（液体含有単位分量の洗浄組成物など）は、充填剤又は担体として水及び他の溶媒を含有してもよい。好適な溶剤としては、シロキサン、他のシリコーン、炭化水素、グリコールエーテル、グリセリンエーテルなどのグリセリン誘導体、ペルフッ素化アミン、ペルフッ素化及びヒドロフルオロエーテル溶剤、低揮発性非フッ素化有機溶剤、ジオール溶剤、並びにこれらの混合物を含む、親油性流体も挙げられる。
【０１３４】
メタノール、エタノール、プロパノール、及びイソプロパノールに代表される低分子量の一級又は二級アルコールが好適である。いくつかの例では、一価アルコールは、界面活性剤を可溶化するために使用されてもよく、２〜約６個の炭素原子と２〜約６個のヒドロキシ基とを含有するものなどのポリオール（例えば、１，３−プロパンジオール、エチレングリコール、グリセリン、及び１，２−プロパンジオール）もまた使用され得る。モノエタノールアミン、ジエタノールアミン、及びトリエタノールアミンなどのアミン含有溶剤も使用されてもよい。
【０１３５】
洗浄組成物は、組成物の約５重量％〜約９０重量％、及びいくつかの例では、約１０重量％〜約５０重量％のかかる担体を含有してもよい。コンパクト若しくはスーパーコンパクト強力液体又は他の形態の洗浄組成物では、水の使用は、この組成物の約４０重量％未満、又は約２０重量％未満、又は約５重量％未満、又は約４重量％未満、又は約３重量％未満、又は約２重量％未満の遊離水であっても、遊離水を実質的に含まなくてもよい（すなわち、無水）。
【０１３６】
粉末若しくはバー状の洗浄組成物、又は固体若しくは粉末構成成分を含む形態（粉末含有単位用量のクリーニング組成物など）では、好適な充填剤としては、硫酸ナトリウム、塩化ナトリウム、粘土、又は他の不活性固体成分が挙げられ得るが、これらに限定されない。
【０１３７】
コンパクト若しくはスーパーコンパクト液体又は粉末の洗浄組成物、あるいは他の形態のいずれかの場合、製品中の液体又は固体充填剤の濃度を低減させることで、コンパクト化されていない洗浄組成物と比較して、同量の活性化学物質が洗浄液に送達され得るか、又はいくつかの例では、洗浄組成物が一層効率的となり、コンパクト化されていない組成物と比較して、より少量の活性化学物質が洗浄液に送達される。洗浄液は、洗浄液中のクリーニング組成物の濃度が０ｇ／Ｌ〜約６ｇ／Ｌ超となるような量で、洗浄組成物を水に接触させることによって形成することができる。いくつかの例では、濃度は、約０．５〜約５ｇ／Ｌ、又は〜約３．０ｇ／Ｌ、又は〜約２．５ｇ／Ｌ、又は〜約２．０ｇ／Ｌ、又は〜約１．５ｇ／Ｌ、又は約０ｇ／Ｌ〜約１．０ｇ／Ｌ、又は約０ｇ／Ｌ〜約０．５ｇ／Ｌであり得る。これらの投与量は限定を意図するものではなく、その他の投与量を使用することもできることは当業者には明白である。
【０１３８】
緩衝系
本明細書に記載されている洗浄組成物は、水性洗浄操作において使用する間、洗浄水が、約３．０〜約１１．５、及びいくつかの例では、約５．０〜約１０のｐＨを有するように配合され得る。推奨される使用濃度でｐＨを制御する技術としては、緩衝剤、アルカリ、又は酸の使用が挙げられ、これらは、当業者には周知である。これらの技術としては、炭酸ナトリウム、クエン酸若しくはクエン酸ナトリウム、乳酸若しくは乳酸塩、モノエタノールアミン若しくは他のアミン、ホウ酸若しくはホウ酸塩、及び当該技術分野において既知の他のｐＨ調整化合物の使用が挙げられるが、これらに限定されない。
【０１３９】
一実施形態では、シロキサンポリマーは、以下に代表されるものなどの洗濯粉末洗剤の一部である。
【０１４０】
洗濯粉末洗剤組成物の例：
【０１４１】
【表１】
2020528091.tif 000015
【０１４２】
別の実施形態では、シロキサンポリマーは、固体送達剤の一部である。好ましい固体送達剤は、組成物の６０重量％〜９８重量％の、５，０００〜１１，０００の分子量を有するポリエチレングリコールの組成物、組成物の２重量％〜１２重量％の遊離香料、及び好ましくは組成物の２重量％〜１２％重量％の封入香料を含む香料マイクロカプセルを含む。
【０１４３】
別の好ましい固体送達剤は、シロキサンポリマーを洗浄液に運ぶように作用する水溶性担体を含む。担体が溶解するときに、シロキサンポリマーは洗浄液中に放出される。
【０１４４】
水溶性担体は、短時間、例えば約１０分未満で洗浄液に可溶である材料であり得る。水溶性担体は、水溶性無機アルカリ金属塩、水溶性アルカリ土類金属塩、水溶性有機アルカリ金属塩、水溶性有機アルカリ土類金属塩、水溶性炭水化物、水溶性ケイ酸塩、水溶性尿素、及びこれらの任意の組み合わせからなる群から選択され得る。
【０１４５】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるかかる全ての変更及び修正を、添付の特許請求の範囲において網羅することが意図される。
【実施例】
【０１４６】
実施例１〜６は、切断可能な主鎖を有する、開示されたシロキサンの製造例である。実施例７〜１０は、切断可能な主鎖を有するかかるシロキサンを含む消費者製品の例である。かかる消費者製品は、かかる種類の消費者製品が典型的に使用される様式で使用され得る。
【０１４７】
実施例１
【０１４８】
【化１４】
2020528091.tif 000016
【０１４９】
シリルエーテル官能化ポリジメチルシロキサンを、以下のように生成する。
シラノール末端ポリジメチルシロキサン、ＤＭＳ−Ｓ１５（２５０．００ｇ、２７５０ＭＷ、Ｇｅｌｅｓｔ，Ｉｎｃ．（Ｍｏｒｒｉｓｖｉｌｌｅ，ＰＡ）から入手可能）をメチルジエタノールアミン（７．７９ｇ、Ｓｉｇｍａ−Ａｌｄｒｉｃｈ（Ｓｔ．Ｌｏｕｉｓ，ＭＯ）から入手可能）及びメタノール中の２５％ナトリウムメトキシド（２．５０ｇ、Ｓｉｇｍａ−Ａｌｄｒｉｃｈ（Ｓｔ．Ｌｏｕｉｓ，ＭＯ）から入手可能）と合わせる。この混合物を１２０℃で１６時間、撹拌及び窒素スイープを行いながら加熱する。ナトリウムアルコキシドを酢酸で中和し、濾過又は遠心分離により除去する。
【０１５０】
実施例２
【０１５１】
【化１５】
2020528091.tif 000017
【０１５２】
シリルエーテル官能化ポリジメチルシロキサンを、以下のように生成する。
シラノール末端ポリジメチルシロキサン、ＤＭＳ−Ｓ１５（２００．００ｇ、２７５０ＭＷ、Ｇｅｌｅｓｔ，Ｉｎｃ．（Ｍｏｒｒｉｓｖｉｌｌｅ，ＰＡ）から入手可能）をメチルジエタノールアミン（７．８２ｇ、Ｓｉｇｍａ−Ａｌｄｒｉｃｈ（Ｓｔ．Ｌｏｕｉｓ，ＭＯ）から入手可能）及びメタノール中の２５％ナトリウムメトキシド（０．５０ｇ、Ｓｉｇｍａ−Ａｌｄｒｉｃｈ（Ｓｔ．Ｌｏｕｉｓ，ＭＯ）から入手可能）と合わせる。この混合物を１２０℃で１６時間、撹拌及び窒素スイープを行いながら加熱する。ナトリウムアルコキシドを酢酸で中和し、濾過又は遠心分離により除去する。
【０１５３】
実施例３
【０１５４】
【化１６】
2020528091.tif 000018
【０１５５】
イミン官能化ポリジメチルシロキサンを、以下のように生成する。
４−アリルオキシベンズアルデヒド（３．７８ｇ、Ｓｉｇｍａ−Ａｌｄｒｉｃｈ（Ｓｔ．Ｌｏｕｉｓ，ＭＯ）から入手可能）を、ヒドリド末端ポリジメチルシロキサン、ＤＭＳ−Ｈ２１（５０．００ｇ、Ｇｅｌｅｓｔ，Ｉｎｃ．（Ｍｏｒｒｉｓｖｉｌｌｅ，ＰＡ）から入手可能）と合わせ、この混合物を攪拌しながら８０℃に加熱する。キシレン中の白金（０）−１，３−ジビニル−１，１，３，３−テトラメチルジシロキサン錯体溶液（Ｐｔ約２％）（０．１４ｇ、Ｓｉｇｍａ−Ａｌｄｒｉｃｈ（Ｓｔ．Ｌｏｕｉｓ，ＭＯ）から入手可能）を滴下し、この混合物を１１０℃で２．５時間加熱する。混合物を周囲に冷却し、エチレンジアミン（０．７３ｇ、Ｓｉｇｍａ−Ａｌｄｒｉｃｈ（Ｓｔ．Ｌｏｕｉｓ，ＭＯ）から入手可能）を添加する。この混合物を８０℃で６時間、撹拌及び窒素スイープを行いながら加熱し、粘稠な液体を得る。
【０１５６】
実施例４
【０１５７】
【化１７】
2020528091.tif 000019
【０１５８】
シリルエーテル官能化ポリジメチルシロキサンを、以下のように生成する。
シラノール末端ポリジメチルシロキサン、ＤＭＳ−Ｓ２１（１００．００ｇ、４，２００ＭＷ、Ｇｅｌｅｓｔ，Ｉｎｃ．（Ｍｏｒｒｉｓｖｉｌｌｅ，ＰＡ）から入手可能）を、エチレングリコール（１．６３ｇ、Ｓｉｇｍａ−Ａｌｄｒｉｃｈ（Ｓｔ．Ｌｏｕｉｓ，ＭＯ）から入手可能）及びメタノール中の２５％ナトリウムメトキシド（０．１２ｇ、Ｓｉｇｍａ−Ａｌｄｒｉｃｈ（Ｓｔ．Ｌｏｕｉｓ，ＭＯ）から入手可能）と合わせる。この混合物を１２０℃で１６時間、撹拌及び窒素スイープを行いながら加熱する。ナトリウムアルコキシドを中和し、濾過又は遠心分離により除去する。
【０１５９】
実施例５
【０１６０】
【化１８】
2020528091.tif 000020
【０１６１】
シリルエーテル官能化ポリジメチルシロキサンを、以下のように生成する。
シラノール末端ポリジメチルシロキサン、ＤＭＳ−Ｓ２１（１００．００ｇ、４，２００ＭＷ、Ｇｅｌｅｓｔ，Ｉｎｃ．（Ｍｏｒｒｉｓｖｉｌｌｅ，ＰＡ）から入手可能）を、２−アミノ−１，３−プロパンジオール（２．３９ｇ、Ｓｉｇｍａ−Ａｌｄｒｉｃｈ（Ｓｔ．Ｌｏｕｉｓ，ＭＯ）から入手可能）及びメタノール中の２５％ナトリウムメトキシド（０．１２ｇ、Ｓｉｇｍａ−Ａｌｄｒｉｃｈ（Ｓｔ．Ｌｏｕｉｓ，ＭＯ）から入手可能）と合わせる。この混合物を１２０℃で１６時間、撹拌及び窒素スイープを行いながら加熱する。ナトリウムアルコキシドを中和し、濾過又は遠心分離により除去する。
【０１６２】
実施例６
【０１６３】
【化１９】
2020528091.tif 000021
【０１６４】
シリルエーテル官能化ポリジメチルシロキサンを、以下のように生成する。
メトキシ末端ポリジメチルシロキサン、ＤＭＳ−ＸＭ１１（１００．００ｇ、９５０ＭＷ、Ｇｅｌｅｓｔ，Ｉｎｃ．（Ｍｏｒｒｉｓｖｉｌｌｅ，ＰＡ）から入手可能）を、プロピレングリコール（８．８１ｇ、Ｓｉｇｍａ−Ａｌｄｒｉｃｈ（Ｓｔ．Ｌｏｕｉｓ，ＭＯ）から入手可能）及びメタノール中の２５％ナトリウムメトキシド（０．１２ｇ、Ｓｉｇｍａ−Ａｌｄｒｉｃｈ（Ｓｔ．Ｌｏｕｉｓ，ＭＯ）から入手可能）と合わせる。この混合物を９０℃で１６時間、撹拌及び窒素スイープを行いながら加熱する。ナトリウムアルコキシドを中和し、濾過又は遠心分離により除去する。
【０１６５】
シロキサンエマルジョン化手順：
【０１６６】
【表２】
2020528091.tif 000022
【０１６７】
シロキサンに、ＴＥＲＧＩＴＯＬ（商標）１５−Ｓ−５界面活性剤及びＴＥＲＧＩＴＯＬ（商標）１５−Ｓ−１２界面活性剤を添加する。混合物をＩＫＡモデルＲＷ２０Ｄ−Ｓ１ミキサ及びＩＫＡ  Ｒ１３４２インペラブレードで、５００ｒｐｍで１０分間撹拌する。次に、水を１５分間かけて徐々にかつ均一に添加する。ｐＨを、酢酸でｐＨ４．５〜５．５に調整する。混合物を更に１５分間混合する。
【０１６８】
シロキサンエマルジョンの布地への適用：
のり除去済みポリエステル／綿（５０／５０）Ｊｅｒｓｅｙ  Ｋｎｉｔ  １０インチ×１０インチの布地の見本、７４２２（Ｔｅｓｔｆａｂｒｉｃｓ，Ｉｎｃ．（Ｗｅｓｔ  Ｐｉｔｔｓｔｏｎ，Ｐｅｎｎｓｙｌｖａｎｉａ，ＵＳＡ）から入手可能）に、２メートル／分、２バールのローラー圧力及び９１％のピックアップで動作するＭａｔｈｉｓ  Ｐａｄｄｅｒ  Ｍｏｄｅｌ  ＨＶＦ  ５８６０１を利用することによりシロキサンエマルジョンをパディングし、３ｍｇ／ｇのシロキサンの装填を達成する。布地の見本を、加熱した回転式乾燥機で乾燥させる。
【０１６９】
水に対する柔軟性性能指数：
水に対する柔軟性性能指数を、Ｉｎｓｔｒｏｎ  Ｍｏｄｅｌ  ５９４４  Ｍａｔｅｒｉａｌｓ  Ｔｅｓｔｉｎｇ  Ｓｙｓｔｅｍを使用して、処理された布地の絶対割線弾性率を測定することで決定する。
・Ｓｔａｔｉｃ  Ｌｏａｄ  Ｃｅｌｌ−１００Ｎ（１０ｋｇ、２２ｌｂ）−Ｔｙｐｅ  ＯＯｆ、Ｏｆ
・Ｐｎｅｕｍａｔｉｃ  Ｓｉｄｅ  Ａｃｔｉｏｎ  Ｇｒｉｐｓ−能力２５０Ｎ（５０ｌｂｆ、２５ｋｇｆ）
・Ｇｒｉｐ  Ｊａｗ  Ｆａｃｅｓ−Ｆａｃｅｓ、鋸歯状、幅２５ｍｍ×高さ２５ｍｍ（１×１インチ）
・７０±３．６°Ｆ（２１±２℃）及び５０±２％の相対湿度
・布地の寸法−幅１インチ、及び縦方向に少なくとも４インチ
【０１７０】
【表３】
2020528091.tif 000023
【０１７１】
絶対割線弾性率（ＭＰａ）は、同じ布地ストリップへの４つのヒステリシスサイクルの４サイクル目に測定された所与の処理に関する、１０枚の布地ストリップから得られた弾性率の平均である。
【０１７２】
水に対する柔軟性性能指数は、以下のように計算する：水処理された布地の絶対割線弾性率／シロキサンポリマーで処理した布地の絶対割線弾性率×１００。
【０１７３】
１００を超える柔軟性性能指数は、水単独と比較してより高い布地柔軟性と相関する。
【０１７４】
【表４】
2020528091.tif 000024
【０１７５】
実施例７−シリコーン化合物を含有する製品の配合物の非限定例を、以下の表に要約する。
【０１７６】
【表５】
2020528091.tif 000025
＊  残部
ａ  Ｎ，Ｎ−ジ（タローオイルオキシエチル）−Ｎ，Ｎ−ジメチルアンモニウムクロリド。
ｂ  メチルビス（タローアミドエチル）２−ヒドロキシエチルアンモニウム硫酸メチル。
ｃ  モル比１．５：１での脂肪酸とメチルジエタノールアミンとの化合物。塩化メチルで四級化し、Ｎ，Ｎ−ビス（ステアロイル−オキシ−エチル）Ｎ，Ｎ−ジメチルアンモニウムクロリドとＮ−（ステアロイル−オキシ−エチル）Ｎ−ヒドロキシエチルＮ，Ｎジメチルアンモニウムクロリドとの１：１モル混合物が生じる。
ｄ  Ｎａｔｉｏｎａｌ  Ｓｔａｒｃｈから商品名ＣＡＴＯ（登録商標）で入手可能なカチオン性高アミローストウモロコシデンプン。
ｆ  米国特許第５，５７４，１７９号の第１５段、１〜５行目に記載の式を有する、エチレンオキシドとテレフタレートとのコポリマー（式中、各Ｘはメチルであり、各ｎは４０であり、ｕは４であり、各Ｒ１は本質的に１，４−フェニレン部分であり、各Ｒ２は、本質的にエチレン、１，２−プロピレン部分である）、又はこれらの混合物である。
ｇ  Ｗａｃｋｅｒ製ＳＥ３９。
ｈ  ジエチレントリアミン五酢酸。
ｉ  Ｒｏｈｍ  ａｎｄ  Ｈａａｓ  Ｃｏ．から入手可能なＫＡＴＨＯＮ（登録商標）ＣＧ「ＰＰＭ」は、「百万分率」。
ｊ  グルテルアルデヒド（Gluteraldehyde）
ｋ  ＤＣ２３１０の商品名でＤｏｗ  Ｃｏｒｎｉｎｇ  Ｃｏｒｐ．から入手可能なシリコーン消泡剤。
ｌ  Ａｃｕｌａｎ  ４４の商品名でＲｏｈｍ  ａｎｄ  Ｈａａｓから入手可能な疎水的に修飾されたエトキシル化ウレタン。
【０１７７】
実施例８−シリコーン化合物を含有する乾燥洗濯配合物の非限定例を、以下の表に要約する。
【０１７８】
【表６】
2020528091.tif 000026
【０１７９】
実施例９：シリコーン化合物を含有する固体洗浄ビーズ若しくは錠剤又は粉末配合物の非限定例を、以下の表に要約する。
【０１８０】
【表７】
2020528091.tif 000027
【０１８１】
本明細書において開示される寸法及び値は、列挙される正確な数値に厳密に限定されるものとして理解されるべきではない。むしろ、特に指定されない限り、かかる寸法はそれぞれ、列挙した値と、その値の周辺の機能的に等価な範囲との両方を意味することを意図している。例えば、「４０ｍｍ」として開示される寸法は、「約４０ｍｍ」を意味するものとする。
【国際調査報告】
2020528091.tif 000034
2020528091.tif 000035
2020528091.tif 000036
2020528091.tif 000037
2020528091.tif 000038